(57)【要約】【課題】室内機と室外機とを接続する連絡配線が誤配線された状態で運転を開始しても、簡単な構成で部品破損を防止できる空気調和機を提供する。【解決手段】室内機１０は、信号ラインＬ３に接続され、フォトカプラを用いた室内側送受信部１５と、電源ラインＬ１と信号ラインＬ３との間に接続され、待機時に開状態のリレーＭＲ１０、室内側送受信部１５の出力に基づいてリレーＭＲ１０の制御を行う室内制御部１２を有する。室外機２０は、信号ラインＬ３に接続され、フォトカプラを用いた室外側送受信部２５と、２本の電源ラインＬ１,Ｌ２から電力が供給される電源回路２３を有する。そして、上記室内機１０の室内制御部１２は、室外機２０の電力供給が停止した待機状態から運転を開始するとき、室内側送受信部１５の受信出力に基づいて、室内機１０と室外機を接続する連絡配線が誤配線であると判断すると、リレーＭＲ１０を閉状態にしない。【選択図】図１
2006153346.tif 000002
【特許請求の範囲】
【請求項１】
連絡配線で接続された室内機(１０)と室外機(２０)を備えた空気調和機であって、
上記連絡配線は、外部の電源から上記室外機(２０)を介して上記室内機(１０)に電力を供給するための２本の電源ライン(Ｌ１,Ｌ２)と、上記室内機(１０)と上記室外機(２０)との間の通信を行うための１本の信号ライン(Ｌ３)とを有し、
上記室内機(１０)は、上記信号ライン(Ｌ３)に接続され、フォトカプラを用いた室内側送受信手段(１５)と、上記電源ライン(Ｌ１)の一方と上記信号ライン(Ｌ３)との間に接続され、上記室外機(２０)の電力供給が停止した待機状態から運転を開始する起動時に閉状態にする室内側開閉手段(ＭＲ１０)と、上記室内側開閉手段(ＭＲ１０)の制御を行う室内制御手段(１２)とを有すると共に、
上記室外機(２０)は、上記信号ライン(Ｌ３)に接続され、フォトカプラを用いた室外側送受信手段(２５)と、上記連絡配線の２本の電源ライン(Ｌ１,Ｌ２)から電力が供給される負荷(２３)とを有し、
上記室内機(１０)の室内制御手段(１２)は、上記待機状態から運転を開始するとき、上記室内側送受信手段(１５)の受信出力に基づいて、上記室内機(１０)と上記室外機(２０)を接続する上記連絡配線が誤配線であると判断すると、上記室内側開閉手段(ＭＲ１０)を閉状態にしないことを特徴とする空気調和機。
【請求項２】
請求項１に記載の空気調和機において、
上記室内機(１０)の室内制御手段(１２)は、上記室外機(２０)の電力供給が停止した待機状態から運転を開始するとき、上記室内側送受信手段(１５)の受信出力がオンすると、上記室内機(１０)と上記室外機(２０)を接続する上記連絡配線が誤配線であると判断することを特徴とする空気調和機。
【請求項３】
請求項１または２に記載の空気調和機において、
上記室内機(１０)は、使用者に誤配線を報知するための報知手段(１３)を有し、
上記室内制御手段(１２)は、上記室内機(１０)と上記室外機(２０)を接続する上記連絡配線が誤配線であると判断すると、上記報知手段(１３)により使用者に誤配線を報知することを特徴とする空気調和機。
【請求項４】
連絡配線で接続された室内機(１０)と室外機(２０)を備えた空気調和機であって、
上記連絡配線は、外部の電源から上記室内機(１０)または上記室外機(２０)の一方を介して上記室内機(１０)または上記室外機(２０)の他方に電力を供給するための２本の電源ライン(Ｌ１,Ｌ２)と、上記室内機(１０)と上記室外機(２０)との間の通信を行うための１本の信号ライン(Ｌ３)とを有し、
上記室内機(１０)は、上記電源ライン(Ｌ１)の一方と上記信号ライン(Ｌ３)との間に接続され、上記室外機(２０)の電力供給が停止した待機状態から運転を開始する起動時に閉状態にする室内側開閉手段(ＭＲ１０)を有すると共に、
上記室外機(２０)は、上記室内機(１０)の室内側開閉手段(ＭＲ１０)が閉状態にされたときに上記信号ライン(Ｌ３)を介して上記室内機(１０)側からの起動のための電力が供給されるように閉状態する起動電力供給用開閉手段(ＭＲ３０)と、運転時に上記電源ライン(Ｌ１)を介して運転のための電力が負荷に供給されるように閉状態にする一方、上記待機時に開状態にする運転電力供給用開閉手段(ＭＲＭ１０)と、上記運転電力供給用開閉手段(ＭＲＭ１０)と上記起動電力供給用開閉手段(ＭＲ３０)とを制御する室外制御手段(２１)とを有し、
上記室外機(２０)の室外制御手段(２１)は、上記室内機(１０)の室内側開閉手段(ＭＲ１０)が閉状態にされることにより上記信号ライン(Ｌ３)と上記起動電力供給用開閉手段(ＭＲ３０)を介して上記室内機(１０)側からの起動のための電力が供給されて上記待機状態から運転を開始するとき、上記起動電力供給用開閉手段(ＭＲ３０)を開状態にした後、所定時間経過後に上記運転電力供給用開閉手段(ＭＲＭ１０)を閉状態にすることを特徴とする空気調和機。
【請求項５】
請求項４に記載の空気調和機において、
上記室内機(１０)は、上記信号ライン(Ｌ３)に接続された室内側送受信手段(１５)と、上記室内側開閉手段(ＭＲ１０)と上記室内側送受信手段(１５)を制御する室内制御手段(１２)と、使用者に誤配線であることを報知するための報知手段(１３)とを有すると共に、
上記室外機(２０)は、上記信号ライン(Ｌ３)に接続され、上記室内側送受信手段(１５)と通信を行う室外側送受信手段(２５)を有し、
上記室内制御手段(１２)は、上記待機状態から運転を開始するために上記室内側開閉手段(ＭＲ１０)を閉状態にしてから、上記室内側送受信手段(１５)により上記室外側送受信手段(２５)との通信ができないとき、上記室内機(１０)と上記室外機(２０)を接続する上記連絡配線が誤配線であると判断して、上記報知手段(１３)により使用者に誤配線であることを報知することを特徴とする空気調和機。
【発明の詳細な説明】
【技術分野】
【０００１】
この発明は、連絡配線で接続された室内機と室外機を備えた空気調和機に関する。
【背景技術】
【０００２】
従来、電力供給を外部から室外機で受けて、電源ラインを介した各部への主電力の供給を待機状態において制限することにより、室内機および室外機の待機状態における消費電力を低減することが可能な空気調和機が提案されている(例えば、特開２０００−１１１１２３号公報(特許文献１)参照)。この空気調和機は、室内機と、室外機と、室内機と室外機との間で伝送信号を送受信するための信号ラインとを備えている。
【０００３】
上記従来の空気調和機では、信号ラインを介した伝送信号の伝送が、交流電力により行われていたため、その通信速度が周波数に依存し、高速化が困難な傾向にある。一方、信号ラインを介した伝送信号の伝送を高速化するために新たに電源を設けた場合、その電源を設けたために室内機および室外機の待機状態における消費電力が増加するおそれがあった。
【０００４】
そこで、このような問題を解決するため、本出願人により、伝送信号を高速で伝送できると共に、室内機および室外機の待機状態における消費電力を低減することができる空気調和機および制御方法が提案されている。なお、この空気調和機および制御方法は、この発明を理解しやすくするために説明するものであって、公知技術ではなく、従来技術ではない。
【０００５】
この空気調和機では、室内機と室外機を接続する連絡配線の電源ラインの一方と信号ラインとの間にリレーを設けて、室外機の電力が遮断された待機状態から運転を開始するとき、上記リレーを所定時間オンすることにより、信号ラインを用いて起動用の電力を室外機に送って、室外機の運転電力供給用リレーをオンする構成としている。
【０００６】
しかしながら、上記空気調和機において、室内機と室外機との間を連絡配線で接続するとき、結線を誤って誤配線すると、室内機側の一部と室外機側の一部で電源を含む閉回路が形成される場合があり、これにより部品が破損するという問題がある。
【特許文献１】特開２０００−１１１１２３号公報
【発明の開示】
【発明が解決しようとする課題】
【０００７】
そこで、この発明の目的は、室内機と室外機とを接続する連絡配線が誤配線された状態で運転を開始しても、簡単な構成で部品破損を防止できる空気調和機を提供することにある。
【課題を解決するための手段】
【０００８】
上記目的を達成するため、第１の発明の空気調和機は、連絡配線で接続された室内機と室外機を備えた空気調和機であって、上記連絡配線は、外部の電源から上記室外機を介して上記室内機に電力を供給するための２本の電源ラインと、上記室内機と上記室外機との間の通信を行うための１本の信号ラインとを有し、上記室内機は、上記信号ラインに接続され、フォトカプラを用いた室内側送受信手段と、上記電源ラインの一方と上記信号ラインとの間に接続され、上記室外機の電力供給が停止した待機状態から運転を開始する起動時に閉状態にする室内側開閉手段と、上記室内側開閉手段の制御を行う室内制御手段とを有すると共に、上記室外機は、上記信号ラインに接続され、フォトカプラを用いた室外側送受信手段と、上記連絡配線の２本の電源ラインから電力が供給される負荷とを有し、上記室内機の室内制御手段は、上記待機状態から運転を開始するとき、上記室内側送受信手段の受信出力に基づいて、上記室内機と上記室外機を接続する上記連絡配線が誤配線であると判断すると、上記室内側開閉手段を閉状態にしないことを特徴とする。
【０００９】
例えば、上記室内機の信号ラインが接続される端子と、上記室外機の電源ラインの他方が接続される端子とが接続され、上記室外機の信号ラインが接続される端子と、上記室内機の電源ラインの他方が接続される端子とが接続されて、連絡配線の一部が入れ替わって接続された場合、上記室外機の電力供給が停止した待機状態から運転を開始する起動時に、そのまま上記室内側開閉手段を閉状態にすると、室内側開閉手段を介して室内機の一部と室外機の一部と電源とで閉回路が形成され、回路に過電流が流れて部品を破損してしまう。これに対して、上記構成の空気調和機によれば、上記室内機の室内制御手段は、このような誤配線された状態で待機状態から運転を開始するとき、室内側送受信手段の受信出力に基づいて、室内機と室外機を接続する連絡配線が誤配線であると判断する。すなわち、上記のような誤配線では、信号ラインに電源電圧が印加され、室内側送受信手段の受信出力がオンすることにより、室内側開閉手段を閉状態にする前に、連絡配線が誤配線であると判断することが可能になる。したがって、室内機と室外機とを接続する連絡配線が誤配線された状態で運転を開始しても、室内側送受信手段を用いる簡単な構成で部品破損を防止できる。
【００１０】
また、一実施形態の空気調和機は、上記室内機の室内制御手段は、上記室外機の電力供給が停止した待機状態から運転を開始するとき、上記室内側送受信手段の受信出力がオンすると、上記室内機と上記室外機を接続する上記連絡配線が誤配線であると判断することを特徴とする。
【００１１】
上記実施形態の空気調和機によれば、上述のような誤配線において信号ラインに電源電圧が印加され、室内側送受信手段の受信出力がオンすることにより、室内側開閉手段を閉状態にする前に、連絡配線が誤配線であると容易に判断することが可能になる。
【００１２】
また、一実施形態の空気調和機は、上記室内機は、使用者に誤配線を報知するための報知手段を有し、上記室内制御手段は、上記室内機と上記室外機を接続する上記連絡配線が誤配線であると判断すると、上記報知手段により使用者に誤配線を報知することを特徴とする。
【００１３】
上記実施形態の空気調和機によれば、上記連絡配線が誤配線であると判断すると、報知手段により使用者に誤配線を報知するので、据付時に作業者が不具合の原因を知ることができ、迅速な対応を行うことができる。
【００１４】
また、第２の発明の空気調和機は、連絡配線で接続された室内機と室外機を備えた空気調和機であって、上記連絡配線は、外部の電源から上記室内機または上記室外機の一方を介して上記室内機または上記室外機の他方に電力を供給するための２本の電源ラインと、上記室内機と上記室外機との間の通信を行うための１本の信号ラインとを有し、上記室内機は、上記電源ラインの一方と上記信号ラインとの間に接続され、上記室外機の電力供給が停止した待機状態から運転を開始する起動時に閉状態にする室内側開閉手段を有すると共に、上記室外機は、上記室内機の室内側開閉手段が閉状態にされることにより上記信号ラインを介して上記室内機側からの起動のための電力が供給されるように閉状態する起動電力供給用開閉手段と、運転時に上記電源ラインを介して運転のための電力が負荷に供給されるように閉状態にする一方、上記待機時に開状態にする運転電力供給用開閉手段と、上記運転電力供給用開閉手段と上記起動電力供給用開閉手段とを制御する室外制御手段とを有し、上記室外機の室外制御手段は、上記室内機の室内側開閉手段が閉状態にされることにより上記信号ラインと上記起動電力供給用開閉手段を介して上記室内機側からの起動のための電力が供給されて上記待機状態から運転を開始するとき、上記起動電力供給用開閉手段を開状態にした後、所定時間経過後に上記運転電力供給用開閉手段を閉状態にすることを特徴とする。
【００１５】
例えば、上記室内機の信号ラインが接続される端子と、上記室外機の電源ラインの他方が接続される端子とが接続され、上記室外機の信号ラインが接続される端子と、上記室内機の電源ラインの他方が接続される端子とが接続されて、連絡配線が入れ替わって接続された場合、上記室外機の電力供給が停止した待機状態から運転を開始するときに、そのまま上記室内側開閉手段を閉状態にすると、室内側開閉手段を介して室内機の一部と室外機の一部(運転電力供給用開閉手段と起動電力供給用開閉手段を含む)と電源とで閉回路が形成され、回路に過電流が流れて部品を破損してしまう。これに対して、上記構成の空気調和機によれば、室内機の室内側開閉手段が閉状態にされることにより室内側開閉手段と信号ラインを介して室内機側から室外機側に起動のための電力が供給されて、待機状態から運転を開始するとき、室外機の室外制御手段により、起動電力供給用開閉手段を開状態にした後、所定時間経過後に運転電力供給用開閉手段を閉状態にする。すなわち、運転電力供給用開閉手段を閉状態する前に、先に起動電力供給用開閉手段を開状態にすることにより、室内側開閉手段を介して室内機の一部と室外機の一部と電源とで閉回路が形成されなくなる。したがって、室内機と室外機とを接続する連絡配線が誤配線された状態で運転を開始しても、簡単な構成で部品破損を防止できる。
【００１６】
また、一実施形態の空気調和機は、上記室内機は、上記信号ラインに接続された室内側送受信手段と、上記室内側開閉手段と上記室内側送受信手段を制御する室内制御手段と、使用者に誤配線であることを報知するための報知手段とを有すると共に、上記室外機は、上記信号ラインに接続され、上記室内側送受信手段と通信を行う室外側送受信手段を有し、上記室内制御手段は、上記待機状態から運転を開始するために上記室内側開閉手段を閉状態にしてから、上記室内側送受信手段により上記室外側送受信手段との通信ができないとき、上記室内機と上記室外機を接続する上記連絡配線が誤配線であると判断して、上記報知手段により使用者に誤配線であることを報知することを特徴とする。
【００１７】
上記実施形態の空気調和機によれば、上記室内側開閉手段を閉状態にしてから、室内側送受信手段により上記室外側送受信手段との通信ができないとき、室内制御手段は、連絡配線が誤配線であると判断して、報知手段により使用者に誤配線を報知するので、据付時に作業者が不具合の原因を知ることができ、迅速な対応を行うことができる。
【発明の効果】
【００１８】
以上より明らかなように、第１の発明の空気調和機によれば、誤配線された状態で待機状態から運転を開始するとき、室内側送受信手段の受信出力に基づいて、室内機の室内制御手段が室内機と室外機を接続する連絡配線が誤配線であると判断して、上記室内側開閉手段を閉状態にしないことによって、室内機と室外機とを接続する連絡配線が誤配線された状態で運転を開始しても、簡単な構成で部品破損を防止することができる。
【００１９】
また、一実施形態の空気調和機によれば、誤配線において信号ラインに電源電圧が印加され、室内側送受信手段の受信出力がオンすることにより、室内側開閉手段を閉状態にする前に、連絡配線が誤配線であると容易に判断することが可能になる。
【００２０】
また、一実施形態の空気調和機によれば、上記室内制御手段が連絡配線が誤配線であると判断したとき、報知手段により使用者に誤配線を報知することによって、据付時に作業者が不具合の原因を知ることができ、迅速な対応を行うことができる。
【００２１】
また、第２の発明の空気調和機によれば、室内機の室内側開閉手段が閉状態にされることにより室内側開閉手段と信号ラインを介して室内機側から室外機側に起動のための電力が供給されて、待機状態から運転を開始するとき、室外機の室外制御手段により、起動電力供給用開閉手段を開状態にした後、所定時間経過後に運転電力供給用開閉手段を閉状態にすることによって、室内機と室外機とを接続する連絡配線が誤配線された状態で運転を開始しても、簡単な構成で部品破損を防止することができる。
【００２２】
また、一実施形態の空気調和機によれば、上記室内側開閉手段を閉状態にしてから、室内側送受信手段により室外側送受信手段との通信ができないとき、室内制御手段は、連絡配線が誤配線であると判断して、報知手段により使用者に誤配線を報知することによって、据付時に作業者が不具合の原因を知ることができ、迅速な対応を行うことができる。
【発明を実施するための最良の形態】
【００２３】
以下、この発明の空気調和機を図示の実施の形態により詳細に説明する。
【００２４】
(第１実施形態)
図１はこの発明の第１実施形態の空気調和機の構成図であり、１０は室内機、２０は上記室内機１０に連絡配線(Ｌ１〜Ｌ３)を介して接続された室外機、３０は上記室内機１０に接続された外部電源である。
【００２５】
上記室内機１０は、一端が電源ラインＬ１に接続され、他端が電源ラインＬ２に接続された電源回路１１と、一端が信号ラインＬ３の一端に接続され、他端が電源ラインＬ２に接続された室内側送受信手段の一例としての室内側送受信部１５と、電源ラインＬ１と信号ラインＬ３との間に接続された室内側開閉手段の一例としてのリレーＭＲ１０とを備え、リレーＭＲ１０は常時開状態としている。また、上記室内機１０は、電源回路１１から電力が供給され、リレーＭＲ１０などを制御する室内制御手段の一例としての室内制御部１２と、上記室内制御部１２により制御される報知手段の一例としての表示部１３とを備えている。上記電源回路１１の両端に電源ラインＬ１,Ｌ２を介して外部電源３０から供給される電源電圧が印加される。
【００２６】
一方、上記室外機２０は、電源ラインＬ１,Ｌ２に入力端子(図４に示すＴ１,Ｔ２)が接続されたＥＭＩフィルタＬＣ１と、信号ラインＬ３の他端に接続された室外側送受信手段の一例としての室外側送受信部２５と、上記信号ラインＬ３に切換リレーＭＲ３０を介して一端が接続され、上記室外側送受信部２５に電力を供給する伝送用電源回路２４と、上記信号ラインＬ３に切換リレーＭＲ３０を介して一端が接続されたスイッチング電源回路２２と、上記ＥＭＩフィルタＬＣ１の出力端子の一端(図４に示すＴ３)にリレーＭＲＭ１０を介して一端が接続された負荷の一例としての電源回路２３とを備えている。また、上記ＥＭＩフィルタＬＣ１の出力端子の他端(図４に示すＴ４)にスイッチング電源回路２２の他端を接続し、ＥＭＩフィルタＬＣ１の出力端子の他端にリレーＭＲＭ１１を介して電源回路２３の他端を接続している。また、上記リレーＭＲＭ１０の両端に、リレーＭＲＭ２０と抵抗Ｒ１１をＥＭＩフィルタＬＣ１側から順に直列に接続している。また、上記室外機２０は、スイッチング電源回路２２から電力が供給され、リレーＭＲＭ１０,ＭＲＭ２０,ＭＲＭ１１およびＭＲ３０などを制御する室外制御手段の一例としての室外制御部２１を備えている。上記抵抗Ｒ１１は、待機状態から電力供給を開始するときにリレーＭＲＭ１１やリレーＭＲＭ２０に過電流が流れることを防止する。
【００２７】
上記切換リレーＭＲ３０は、入力端子１,２と出力端子３とを有し、入力端子１を信号ラインＬ３に接続し、入力端子２をＥＭＩフィルタＬＣ１の出力端子の一端(図４に示すＴ３)に接続し、出力端子３をスイッチング電源回路２２の一端に接続している。上記切換リレーＭＲ３０は、オフ状態で信号ラインＬ３と伝送用電源回路２４を接続しているが、オン状態になると、信号ラインＬ３と伝送用電源回路２４との接続が解除され、ＥＭＩフィルタＬＣ１の出力端子の一方(図４に示すＴ３)と伝送用電源回路２４を接続する。
【００２８】
上記伝送用電源回路２４は、切換リレーＭＲＭ３０を介して信号ラインＬ３に一端が接続された抵抗Ｒ１と、上記抵抗Ｒ１の他端にアノードが接続されたダイオードＤ１と、上記ダイオードＤ１のカソードにカソードが接続され、アノードが電源ラインＬ２に接続されたツェナーダイオードＺＤ１と、上記ツェナーダイオードＺＤ１に並列に接続された平滑コンデンサＣ１と、上記ツェナーダイオードＺＤ１に並列に接続された抵抗Ｒ２とを有している。上記抵抗Ｒ２は、ツェナーダイオードＺＤ１や平滑コンデンサＣ１の両端に過電圧が印可されることを防止する。
【００２９】
図１に示す電源ラインＬ１,Ｌ２から供給される交流電圧は、ダイオードＤ１により半波整流され、平滑コンデンサＣ１７１で平滑にされる。上記平滑にされた直流電圧は、ツェナーダイオードＺＤ１で一定電圧に調整されて、室外側送受信部２５に供給される。
【００３０】
図２は上記室内側送受信部１５の回路図を示しており、この室内側送受信部１５は、図２に示すように、端子１５１にアノードが接続されたダイオードＤ１５１と、上記ダイオードＤ１５１のカソードに一端が接続された抵抗Ｒ１５１と、上記抵抗Ｒ１５１の他端とコレクタが接続されたフォトトランジスタＱ１５１と、上記フォトトランジスタＱ１５１のエミッタにアノードが接続され、カソードが端子１５２に接続された発光ダイオードＤ１５２と、上記フォトトランジスタＱ１５１のコレクタにカソードが接続され、アノードがエミッタに接続されたツェナーダイオードＺＤ１５１と上記発光ダイオードＤ１５２の両端に並列に接続された抵抗Ｒ１５２とを有している。また、上記室内側送受信部１５は、フォトトランジスタＱ１５１と対の発光ダイオード(図示せず)とでフォトカプラを構成し、発光ダイオードＤ１５２と対のフォトトランジスタ(図示せず)とでフォトカプラを構成して、双方向通信を可能としている。上記室内側送受信部１５の端子１５１を通信ラインＬ３に接続し、端子１５２を電源ラインＬ２に接続している。
【００３１】
上記抵抗Ｒ１５１は、フォトトランジスタＱ１５１や発光ダイオードＤ１５２に流れる電流を制限しており、ダイオードＤ１５１は、電流が逆流することを防止している。また、上記ツェナーダイオードＺＤ１５１は、フォトトランジスタＱ１５１の両端に過電圧が印可されるのを防止し、抵抗Ｒ１５２は、発光ダイオードＤ１５２の両端に過電圧が印可されるのを防止している。
【００３２】
また、図３は室外側送受信部２５の回路図を示しており、室外送受信部２５は、図３に示すように、端子２５１にカソードが接続されたダイオードＤ２５１と、上記ダイオードＤ２５１のアノードに一端が接続された抵抗Ｒ２５１と、上記抵抗Ｒ２５１の他端にカソードが接続された発光ダイオードＤ２５２と、上記発光ダイオードＤ２５２の両端に並列に接続された抵抗Ｒ２５２と、上記発光ダイオードＤ２５２のアノードとエミッタが接続され、コレクタが端子２５２に接続されたフォトトランジスタＱ２５１と、上記フォトトランジスタＱ２５１のコレクタとエミッタとの間に接続された抵抗Ｒ２５３と、上記フォトトランジスタＱ２５１のコレクタにアノードが接続されたツェナーダイオードＺＤ２５１と、上記ツェナーダイオードＺＤ２５１のカソードとアノードが接続され、カソードがフォトトランジスタＱ２５１のエミッタに接続されたツェナーダイオードＺＤ２５２とを有する。また、上記室内側送受信部１５は、フォトトランジスタＱ２５１と対の発光ダイオード(図示せず)とでフォトカプラを構成し、発光ダイオードＤ２５２と対のフォトトランジスタ(図示せず)とでフォトカプラを構成して、双方向通信を可能としている。上記室外側送受信部２５の端子２５１を通信ラインＬ３に接続し、端子２５２を伝送用電源回路２４に接続している。
【００３３】
上記ダイオードＤ２５１は、電流が逆流することを防止し、抵抗Ｒ２５１は、フォトトランジスタＱ２５１や発光ダイオードＤ２５２に流れる電流を制限している。また、上記抵抗Ｒ２５２は、発光ダイオードＤ２５２の両端に過電圧が印可されるのを防止し、抵抗Ｒ２５３は、フォトトランジスタＱ１５１に過電流が流れるのを防止している。
【００３４】
図４は上記空気調和機の室外機のＥＭＩフィルタＬＣ１の回路図を示しており、ＥＭＩフィルタＬＣ１は、図４に示すように、端子Ｔ１に一端が接続されたコイルＬ１１と、端子Ｔ２に一端が接続され、上記コイルＬ１１とで相互誘導インダクタンスを形成するコイルＬ１２と、上記コイルＬ１１の他端と一端が接続され、他端が端子Ｔ３に接続されたコイルＬ１３と、上記コイルＬ１２の他端と一端が接続され、他端が端子Ｔ４に接続されたコイルＬ１４と、上記コイルＬ１３の他端に一端が接続され、他端が接地されたコンデンサＣ１２と、上記コイルＬ１４の他端に一端が接続され、他端がコンデンサＣ１２の他端に接続されたコンデンサＣ１３と、上記端子Ｔ３と端子Ｔ４との間に接続されたコンデンサＣ１１とを有する。
【００３５】
上記ＥＭＩフィルタＬＣ１の端子Ｔ１は電源ラインＬ１(図１に示す)に接続され、端子Ｔ２は電源ラインＬ２(図１に示す)に接続され、端子Ｔ３はリレーＭＲＭ１０,ＭＲＭ２０(図１に示す)に接続され、端子Ｔ４はスイッチング電源回路２２とＭＲＭ１１(図１に示す)に接続されている。
【００３６】
上記ＥＭＩフィルタＬＣ１において、電源回路２３(図１に示す)で発生した第１雑音は、電源ラインＬ１(図１に示す)を介して端子Ｔ３に入力されると共に、電源ラインＬ２(図１に示す)を介して端子Ｔ４に入力される。第１雑音は、主として低周波ノーマルモードノイズと高周波コモンモードノイズとを有する。低周波ノーマルモードノイズは、コンデンサＣ１１とコイルＬ１３とコイルＬ１４とで構成されるローパスフィルタの作用により、そのカットオフ周波数以上のものが除去される。一方、高周波コモンモードノイズは、コンデンサＣ１２とコンデンサＣ１３とコイルＬ１１とコイルＬ１２とで構成されるローパスフィルタの作用により、そのカットオフ周波数以上のものが除去される。
【００３７】
図１に示すように、室内機１０のリレーＭＲ１０は、待機状態から運転状態に切り換えるときに、室内マイコン１２によりリレーＭＲ１０が閉じられて、電源ラインＬ１から主電力が信号ラインＬ３に供給される。すなわち、信号ラインＬ３の電圧の上昇が、待機状態から運転状態に切り換える旨の信号である。
【００３８】
上記構成の空気調和機において、据付時に連絡配線Ｌ１〜Ｌ３の接続は、図１,図９(a)に示すように、室内機１０と室外機２０の端子ＡＣ同士、端子Ｓ同士、端子ＣＯＭ同士を接続するのが正しい。しかしながら、図９(b)〜図９(e)の５通りの誤接続があり得る。この中でも、図９(b)に示す誤接続は、図５Ｂに点線で示すように、リレーＭＲ１０をオンすると、外部電源３０を含む閉回路が形成されて部品(例えばリレーＭＲ１０)が損傷することになる。なお、図９(c)〜図９(e)の誤接続では、電源を含む閉回路が形成されず、部品の損傷はない。
【００３９】
そこで、この第１実施形態の空気調和機では、室内制御部１２は、待機状態から運転を開始するとき、室内側送受信部１５の受信出力に基づいて、室内機１０と室外機２０を接続する連絡配線Ｌ１〜Ｌ３が誤配線であるか否かを判断して誤配線であると判断したときは、リレーＭＲＭ１０をオンにしない。
【００４０】
図６は上記空気調和機の待機時から運転を開始するときの処理を説明するためのタイミング図を示している。図６において、図６(a)は空気調和機の運転開始信号を表し、図６(b)は室内側送受信部１５の受信出力を表し、図６(c)は誤配線のときのリレーＭＲ１０の動作状態を表し、図６(d)は配線が正しいときのリレーＭＲ１０の動作状態を表している。
【００４１】
図６に示すように、まず、待機中(運転停止中)に室内機１０の図示しないリモコンを操作して、運転を開始すると、室内制御部１２は運転開始信号(図６(a)に示す)を受けた後、所定時間(例えば１秒)経過後に室内側送受信部１５の受信出力を確認する。このとき、図５に示すように連絡配線が誤配線されていると、室内側送受信部１５の受信出力は、図６(b)に示すように、周期的にオンオフを繰り返す。これは、図５Ａに点線で示すように閉回路が形成されて、信号ラインＬ３に交流電圧が印加され、室内側送受信部１５のダイオードＤ１５１が交流電圧の半波(周波数５０Ｈzでは２０ｍｓｅｃ)ごとに発光するためである。
【００４２】
上記室内制御部１２は、室内側送受信部１５の受信出力を数ｍｓｅｃ周期で確認して、２回連続してハイレベルのときは、誤配線であると判断して、図６(c)に示すようにリレーＭＲ１０をオンしない。一方、正常に配線されているときは、通信を行わない限り、室内側送受信部１５の受信出力がオンしないので、室内制御部１２は、誤配線でないと判断して、図６(d)に示すようにリレーＭＲ１０を所定時間(例えば数十ｍｓｅｃ)オンする。
【００４３】
また、上記室内制御部１２が室内側送受信部１５の受信出力に基づいて誤配線であると判断すると、表示部１３により誤配線であることを使用者に報知する。
【００４４】
上記第１実施形態の空気調和機によれば、室内機１０と室外機２０とを接続する連絡配線(Ｌ１〜Ｌ３)が誤配線された状態で運転を開始しても、簡単な構成で部品破損を防止することができる。
【００４５】
また、図５Ａに示す誤配線において信号ラインＬ３に電源電圧が印加され、室内側送受信部１５の受信出力がオンすることにより、リレーＭＲ１０をオンする前に、連絡配線(Ｌ１〜Ｌ３)が誤配線であると容易に判断することが可能になる。
【００４６】
また、上記室内制御部１２が連絡配線(Ｌ１〜Ｌ３)が誤配線であると判断すると、表示部１３により使用者に誤配線を報知するので、据付時に作業者が不具合の原因を知ることができ、迅速な対応を行うことができる。
【００４７】
(第２実施形態)
図７はこの発明の第２実施形態の空気調和機の構成図であり、１０は室内機、２０は上記室内機１０に連絡配線(Ｌ１〜Ｌ３)を介して接続された室外機、３０は上記室内機１０に接続された外部電源である。
【００４８】
上記室内機１０は、一端が電源ラインＬ１に接続され、他端が電源ラインＬ２に接続された電源回路１１と、一端が信号ラインＬ３の一端に接続され、他端が電源ラインＬ２に接続された室内側送受信手段の一例としての室内側送受信部１５と、電源ラインＬ１と信号ラインＬ３との間に接続された常時開状態の室内側開閉手段の一例としてのリレーＭＲ１０とを備えている。上記電源回路１１の両端に外部電源３０から供給される電圧が印加される。また、上記室内機１０は、電源回路１１から電力が供給され、リレーＭＲ１０などを制御する室内制御手段の一例としての室内制御部１２と、上記室内制御部１２により制御される報知手段の一例としての表示部１３とを備えている。
【００４９】
一方、上記室外機２０は、電源ラインＬ１,Ｌ２に入力端子が接続されたＥＭＩフィルタＬＣ１と、信号ラインＬ３の他端に接続された室外側送受信手段の一例としての室外側送受信部２５と、上記室外側送受信部２５に電力を供給する伝送用電源回路２４と、上記ＥＭＩフィルタＬＣ１の出力端子の一端と運転電力供給用開閉手段の一例としてのリレーＭＲＭ１０を介して接続されたスイッチング電源回路２２と、上記スイッチング電源回路２２の一端に一端が接続された負荷の一例としての電源回路２３とを備えている。上記信号ラインＬ３に起動電力供給用開閉手段の一例としての切換リレーＭＲ３０の一端を接続し、切換リレーＭＲ３０の他端を抵抗Ｒ１１の一端に接続している。上記抵抗Ｒ１１の他端を、リレーＭＲＭ１０とスイッチング電源回路２２との間の接続点に接続している。また、上記ＥＭＩフィルタＬＣ１の出力端子の他端にスイッチング電源回路２２の他端と電源回路２３の他端を接続している。また、上記室外機２０は、スイッチング電源回路２２から電力が供給され、リレーＭＲＭ１０などを制御する室外制御手段の一例としての室外制御部２１を備えている。
【００５０】
上記室内側送受信部１５,伝送用電源回路２４,室外側送受信部２５およびＥＭＩフィルタＬＣ１は、第１実施形態の空気調和機と同一の構成をしており、説明を省略する。
【００５１】
図７に示すように、室内機１０のリレーＭＲ１０は、待機状態から運転状態に切り換えるときに、室内マイコン１２によりリレーＭＲ１０が閉じられて、電源ラインＬ１から主電力が信号ラインＬ３に供給される。すなわち、待機状態から運転状態に切り換える旨の信号が、信号ラインＬ３の電圧の上昇である点で、第１実施形態と同様である。
【００５２】
上記構成の空気調和機において、据付時に連絡配線Ｌ１〜Ｌ３の接続は、図７,図９(a)に示すように、端子ＡＣ同士、端子Ｓ同士、端子ＣＯＭ同士を接続するのが正しい。しかしながら、図９(b)〜図９(e)の５通りの誤接続があり得る。この中でも、図９(b)に示す誤接続は、部品が損傷することになる。
【００５３】
そこで、この第２実施形態の空気調和機では、室外制御部２１は、室内機１０のリレーＭＲ１０をオンにすることにより信号ラインＬ３を介して室内機１０側からの起動のための電力が供給されて、待機状態から運転を開始するとき、起動リレーＭＲ３０を開状態にした後、所定時間(例えば数十ｍｓｅｃ)経過後にリレーＭＲＭ１０をオンする。
【００５４】
詳しくは、上記室内機１０のリレーＭＲＭ１０をオンすると、信号ラインＬ３に交流電圧が印加され、室外機２０の切換リレーＭＲ３０と抵抗Ｒ１１を介してスイッチング電源回路２２に電力が供給される。そして、スイッチング電源回路２２から直流電圧が伝送用電源回路２４と室外制御部２１に出力される。それにより、上記スイッチング電源回路２２から直流電圧を受けて動作した室外制御部２１は、起動リレーＭＲ３０を開状態にした後、スイッチング電源回路２２の直流電圧出力がなくなる前、かつ、所定時間(例えば数十ｍｓｅｃ)経過後、リレーＭＲＭ１０をオンする。そうすることによって、電源ラインＬ１,Ｌ２を介して室内機１０側からの運転のための電力がスイッチング電源回路２２と電源回路２３に供給される。
【００５５】
上記第２実施形態の空気調和機によれば、室内機１０と室外機２０とを接続する連絡配線(Ｌ１〜Ｌ３)が誤配線された状態で運転を開始しても、簡単な構成で部品破損を防止することができる。
【００５６】
また、上記リレーＭＲＭ１０をオンしてから、室内側送受信部１５により室外側送受信部２５との通信ができないとき、室内制御部１２は、連絡配線(Ｌ１〜Ｌ３)が誤配線であると判断して、表示部１３により使用者に誤配線を報知するので、据付時に作業者が不具合の原因を知ることができ、迅速な対応を行うことができる。
【００５７】
上記第２実施形態では、室内機１０に外部電源３０を接続したが、室外機に外部電源を接続してもよい。
【００５８】
また、上記第１,第２実施形態では、報知手段として表示部１３を用いたが、報知手段はこれに限らず、音声やブザー音で報知するものであってもよい。
【図面の簡単な説明】
【００５９】
【図１】図１はこの発明の第１実施形態の空気調和機の構成図である。
【図２】図２は上記空気調和機の室内側送受信部の回路図である。
【図３】図３は上記空気調和機の室外側送受信部の回路図である。
【図４】図４は上記空気調和機の室外機のＥＭＩフィルタの回路図である。
【図５Ａ】図５Ａは上記空気調和機の誤配線時の結線図である。
【図５Ｂ】図５Ｂは上記空気調和機の誤配線時にＭＲ１０をオンしたときの状態を示す図である。
【図６】図６は上記空気調和機の待機時から運転を開始するときの処理を示すタイミング図である。
【図７】図７はこの発明の第２実施形態の空気調和機の回路図である。
【図８】図８は上記空気調和機の誤配線時の結線図である。
【図９】図９は空気調和機の正しい配線および誤配線を説明するための結線図である。
【符号の説明】
【００６０】
１０…室内機
１１…電源回路
１２…室内制御部
１５…室内側送受信部
２０…室外機
２１…室外制御部
２２…スイッチング電源回路
２３…電源回路
２４…伝送用電源回路
２５…室外側送受信部
３０…外部電源
ＭＲ１０…リレー
ＭＲ３０…切換リレー
ＭＲＭ１０,ＭＲＭ２０…リレー
Ｌ１,Ｌ２…電源ライン
Ｌ３…信号ライン
ＬＣ１…ＥＭＩフィルタ
【図１】
2006153346.tif 000003
【図２】
2006153346.tif 000004
【図３】
2006153346.tif 000005
【図４】
2006153346.tif 000006
【図５Ａ】
2006153346.tif 000007
【図５Ｂ】
2006153346.tif 000008
【図６】
2006153346.tif 000009
【図７】
2006153346.tif 000010
【図８】
2006153346.tif 000011
【図９】
2006153346.tif 000012
【手続補正書】
【提出日】平成17年11月29日(2005.11.29)
【手続補正１】
【補正対象書類名】明細書
【補正対象項目名】全文
【補正方法】変更
【補正の内容】
【発明の詳細な説明】
【技術分野】
【０００１】
この発明は、連絡配線で接続された室内機と室外機を備えた空気調和機に関する。
【背景技術】
【０００２】
従来、電力供給を外部から室外機で受けて、電源ラインを介した各部への主電力の供給を待機状態において制限することにより、室内機および室外機の待機状態における消費電力を低減することが可能な空気調和機が提案されている(例えば、特開２０００−１１１１２３号公報(特許文献１)参照)。この空気調和機は、室内機と、室外機と、室内機と室外機との間で伝送信号を送受信するための信号ラインとを備えている。
【０００３】
上記従来の空気調和機では、信号ラインを介した伝送信号の伝送が、交流電力により行われていたため、その通信速度が周波数に依存し、高速化が困難な傾向にある。一方、信号ラインを介した伝送信号の伝送を高速化するために新たに電源を設けた場合、その電源を設けたために室内機および室外機の待機状態における消費電力が増加するおそれがあった。
【０００４】
そこで、このような問題を解決するため、本出願人により、伝送信号を高速で伝送できると共に、室内機および室外機の待機状態における消費電力を低減することができる空気調和機および制御方法が提案されている。なお、この空気調和機および制御方法は、この発明を理解しやすくするために説明するものであって、公知技術ではなく、従来技術ではない。
【０００５】
この空気調和機では、室内機と室外機を接続する連絡配線の電源ラインの一方と信号ラインとの間にリレーを設けて、室外機の電力が遮断された待機状態から運転を開始するとき、上記リレーを所定時間オンすることにより、信号ラインを用いて起動用の電力を室外機に送って、室外機の運転電力供給用リレーをオンする構成としている。
【０００６】
しかしながら、上記空気調和機において、室内機と室外機との間を連絡配線で接続するとき、結線を誤って誤配線すると、室内機側の一部と室外機側の一部で電源を含む閉回路が形成される場合があり、これにより部品が破損するという問題がある。
【特許文献１】特開２０００−１１１１２３号公報
【発明の開示】
【発明が解決しようとする課題】
【０００７】
そこで、この発明の目的は、室内機と室外機とを接続する連絡配線が誤配線された状態で運転を開始しても、簡単な構成で部品破損を防止できる空気調和機を提供することにある。
【課題を解決するための手段】
【０００８】
上記目的を達成するため、第１の発明の空気調和機は、連絡配線で接続された室内機と室外機を備えた空気調和機であって、上記連絡配線は、外部の電源から上記室外機を介して上記室内機に電力を供給するための２本の電源ラインと、上記室内機と上記室外機との間の通信を行うための１本の信号ラインとを有し、上記室内機は、上記信号ラインに接続され、フォトカプラを用いた室内側送受信手段と、上記電源ラインの一方と上記信号ラインとの間に接続され、上記室外機の電力供給が停止した待機状態から運転を開始する起動時に閉状態にする室内側開閉手段と、上記室内側開閉手段の制御を行う室内制御手段とを有すると共に、上記室外機は、上記信号ラインに接続され、フォトカプラを用いた室外側送受信手段と、上記連絡配線の２本の電源ラインから電力が供給される負荷とを有し、上記室内機の室内制御手段は、上記待機状態から運転を開始するとき、上記室内側送受信手段の受信出力に基づいて、上記室内機と上記室外機を接続する上記連絡配線が誤配線であると判断すると、上記室内側開閉手段を閉状態にしないことを特徴とする。
【０００９】
例えば、上記室内機の信号ラインが接続される端子と、上記室外機の電源ラインの他方が接続される端子とが接続され、上記室外機の信号ラインが接続される端子と、上記室内機の電源ラインの他方が接続される端子とが接続されて、連絡配線の一部が入れ替わって接続された場合、上記室外機の電力供給が停止した待機状態から運転を開始する起動時に、そのまま上記室内側開閉手段を閉状態にすると、室内側開閉手段を介して室内機の一部と室外機の一部と電源とで閉回路が形成され、回路に過電流が流れて部品を破損してしまう。これに対して、上記構成の空気調和機によれば、上記室内機の室内制御手段は、このような誤配線された状態で待機状態から運転を開始するとき、室内側送受信手段の受信出力に基づいて、室内機と室外機を接続する連絡配線が誤配線であると判断する。すなわち、上記のような誤配線では、信号ラインに電源電圧が印加され、室内側送受信手段の受信出力がオンすることにより、室内側開閉手段を閉状態にする前に、連絡配線が誤配線であると判断することが可能になる。したがって、室内機と室外機とを接続する連絡配線が誤配線された状態で運転を開始しても、室内側送受信手段を用いる簡単な構成で部品破損を防止できる。
【００１０】
また、一実施形態の空気調和機は、上記室内機の室内制御手段は、上記室外機の電力供給が停止した待機状態から運転を開始するとき、上記室内側送受信手段の受信出力がオンすると、上記室内機と上記室外機を接続する上記連絡配線が誤配線であると判断することを特徴とする。
【００１１】
上記実施形態の空気調和機によれば、上述のような誤配線において信号ラインに電源電圧が印加され、室内側送受信手段の受信出力がオンすることにより、室内側開閉手段を閉状態にする前に、連絡配線が誤配線であると容易に判断することが可能になる。
【００１２】
また、一実施形態の空気調和機は、上記室内機は、使用者に誤配線を報知するための報知手段を有し、上記室内制御手段は、上記室内機と上記室外機を接続する上記連絡配線が誤配線であると判断すると、上記報知手段により使用者に誤配線を報知することを特徴とする。
【００１３】
上記実施形態の空気調和機によれば、上記連絡配線が誤配線であると判断すると、報知手段により使用者に誤配線を報知するので、据付時に作業者が不具合の原因を知ることができ、迅速な対応を行うことができる。
【００１４】
また、第２の発明の空気調和機は、連絡配線で接続された室内機と室外機を備えた空気調和機であって、上記連絡配線は、外部の電源から上記室内機または上記室外機の一方を介して上記室内機または上記室外機の他方に電力を供給するための２本の電源ラインと、上記室内機と上記室外機との間の通信を行うための１本の信号ラインとを有し、上記室内機は、上記電源ラインの一方と上記信号ラインとの間に接続され、上記室外機の電力供給が停止した待機状態から運転を開始する起動時に閉状態にする室内側開閉手段を有すると共に、上記室外機は、上記室内機の室内側開閉手段が閉状態にされることにより上記信号ラインを介して上記室内機側からの起動のための電力が供給されるように閉状態する起動電力供給用開閉手段と、運転時に上記電源ラインを介して運転のための電力が負荷に供給されるように閉状態にする一方、上記待機時に開状態にする運転電力供給用開閉手段と、上記運転電力供給用開閉手段と上記起動電力供給用開閉手段とを制御する室外制御手段とを有し、上記室外機の室外制御手段は、上記室内機の室内側開閉手段が閉状態にされることにより上記信号ラインと上記起動電力供給用開閉手段を介して上記室内機側からの起動のための電力が供給されて上記待機状態から運転を開始するとき、上記起動電力供給用開閉手段を開状態にした後、所定時間経過後に上記運転電力供給用開閉手段を閉状態にすることを特徴とする。
【００１５】
例えば、上記室内機の信号ラインが接続される端子と、上記室外機の電源ラインの他方が接続される端子とが接続され、上記室外機の信号ラインが接続される端子と、上記室内機の電源ラインの他方が接続される端子とが接続されて、連絡配線が入れ替わって接続された場合、上記室外機の電力供給が停止した待機状態から運転を開始するときに、そのまま上記室内側開閉手段を閉状態にすると、室内側開閉手段を介して室内機の一部と室外機の一部(運転電力供給用開閉手段と起動電力供給用開閉手段を含む)と電源とで閉回路が形成され、回路に過電流が流れて部品を破損してしまう。これに対して、上記構成の空気調和機によれば、室内機の室内側開閉手段が閉状態にされることにより室内側開閉手段と信号ラインを介して室内機側から室外機側に起動のための電力が供給されて、待機状態から運転を開始するとき、室外機の室外制御手段により、起動電力供給用開閉手段を開状態にした後、所定時間経過後に運転電力供給用開閉手段を閉状態にする。すなわち、運転電力供給用開閉手段を閉状態する前に、先に起動電力供給用開閉手段を開状態にすることにより、室内側開閉手段を介して室内機の一部と室外機の一部と電源とで閉回路が形成されなくなる。したがって、室内機と室外機とを接続する連絡配線が誤配線された状態で運転を開始しても、簡単な構成で部品破損を防止できる。
【００１６】
また、一実施形態の空気調和機は、上記室内機は、上記信号ラインに接続された室内側送受信手段と、上記室内側開閉手段と上記室内側送受信手段を制御する室内制御手段と、使用者に誤配線であることを報知するための報知手段とを有すると共に、上記室外機は、上記信号ラインに接続され、上記室内側送受信手段と通信を行う室外側送受信手段を有し、上記室内制御手段は、上記待機状態から運転を開始するために上記室内側開閉手段を閉状態にしてから、上記室内側送受信手段により上記室外側送受信手段との通信ができないとき、上記室内機と上記室外機を接続する上記連絡配線が誤配線であると判断して、上記報知手段により使用者に誤配線であることを報知することを特徴とする。
【００１７】
上記実施形態の空気調和機によれば、上記室内側開閉手段を閉状態にしてから、室内側送受信手段により上記室外側送受信手段との通信ができないとき、室内制御手段は、連絡配線が誤配線であると判断して、報知手段により使用者に誤配線を報知するので、据付時に作業者が不具合の原因を知ることができ、迅速な対応を行うことができる。
【発明の効果】
【００１８】
以上より明らかなように、第１の発明の空気調和機によれば、誤配線された状態で待機状態から運転を開始するとき、室内側送受信手段の受信出力に基づいて、室内機の室内制御手段が室内機と室外機を接続する連絡配線が誤配線であると判断して、上記室内側開閉手段を閉状態にしないことによって、室内機と室外機とを接続する連絡配線が誤配線された状態で運転を開始しても、簡単な構成で部品破損を防止することができる。
【００１９】
また、一実施形態の空気調和機によれば、誤配線において信号ラインに電源電圧が印加され、室内側送受信手段の受信出力がオンすることにより、室内側開閉手段を閉状態にする前に、連絡配線が誤配線であると容易に判断することが可能になる。
【００２０】
また、一実施形態の空気調和機によれば、上記室内制御手段が連絡配線が誤配線であると判断したとき、報知手段により使用者に誤配線を報知することによって、据付時に作業者が不具合の原因を知ることができ、迅速な対応を行うことができる。
【００２１】
また、第２の発明の空気調和機によれば、室内機の室内側開閉手段が閉状態にされることにより室内側開閉手段と信号ラインを介して室内機側から室外機側に起動のための電力が供給されて、待機状態から運転を開始するとき、室外機の室外制御手段により、起動電力供給用開閉手段を開状態にした後、所定時間経過後に運転電力供給用開閉手段を閉状態にすることによって、室内機と室外機とを接続する連絡配線が誤配線された状態で運転を開始しても、簡単な構成で部品破損を防止することができる。
【００２２】
また、一実施形態の空気調和機によれば、上記室内側開閉手段を閉状態にしてから、室内側送受信手段により室外側送受信手段との通信ができないとき、室内制御手段は、連絡配線が誤配線であると判断して、報知手段により使用者に誤配線を報知することによって、据付時に作業者が不具合の原因を知ることができ、迅速な対応を行うことができる。
【発明を実施するための最良の形態】
【００２３】
以下、この発明の空気調和機を図示の実施の形態により詳細に説明する。
【００２４】
(第１実施形態)
図１はこの発明の第１実施形態の空気調和機の構成図であり、１０は室内機、２０は上記室内機１０に連絡配線(Ｌ１〜Ｌ３)を介して接続された室外機、３０は上記室内機１０に接続された外部電源である。
【００２５】
上記室内機１０は、一端が電源ラインＬ１に接続され、他端が電源ラインＬ２に接続された電源回路１１と、一端が信号ラインＬ３の一端に接続され、他端が電源ラインＬ２に接続された室内側送受信手段の一例としての室内側送受信部１５と、電源ラインＬ１と信号ラインＬ３との間に接続された室内側開閉手段の一例としてのリレーＭＲ１０とを備え、リレーＭＲ１０は常時開状態としている。また、上記室内機１０は、電源回路１１から電力が供給され、リレーＭＲ１０などを制御する室内制御手段の一例としての室内制御部１２と、上記室内制御部１２により制御される報知手段の一例としての表示部１３とを備えている。上記電源回路１１の両端に電源ラインＬ１,Ｌ２を介して外部電源３０から供給される電源電圧が印加される。
【００２６】
一方、上記室外機２０は、電源ラインＬ１,Ｌ２に入力端子(図４に示すＴ１,Ｔ２)が接続されたＥＭＩフィルタＬＣ１と、信号ラインＬ３の他端に接続された室外側送受信手段の一例としての室外側送受信部２５と、上記信号ラインＬ３に切換リレーＭＲ３０を介して一端が接続され、上記室外側送受信部２５に電力を供給する伝送用電源回路２４と、上記信号ラインＬ３に切換リレーＭＲ３０を介して一端が接続されたスイッチング電源回路２２と、上記ＥＭＩフィルタＬＣ１の出力端子の一端(図４に示すＴ３)にリレーＭＲＭ１０を介して一端が接続された負荷の一例としての電源回路２３とを備えている。また、上記ＥＭＩフィルタＬＣ１の出力端子の他端(図４に示すＴ４)にスイッチング電源回路２２の他端を接続し、ＥＭＩフィルタＬＣ１の出力端子の他端にリレーＭＲＭ１１を介して電源回路２３の他端を接続している。また、上記リレーＭＲＭ１０の両端に、リレーＭＲＭ２０と抵抗Ｒ１１をＥＭＩフィルタＬＣ１側から順に直列に接続している。また、上記室外機２０は、スイッチング電源回路２２から電力が供給され、リレーＭＲＭ１０,ＭＲＭ２０,ＭＲＭ１１およびＭＲ３０などを制御する室外制御手段の一例としての室外制御部２１を備えている。上記抵抗Ｒ１１は、待機状態から電力供給を開始するときにリレーＭＲＭ１１やリレーＭＲＭ２０に過電流が流れることを防止する。
【００２７】
上記切換リレーＭＲ３０は、入力端子１,２と出力端子３とを有し、入力端子１を信号ラインＬ３に接続し、入力端子２をＥＭＩフィルタＬＣ１の出力端子の一端(図４に示すＴ３)に接続し、出力端子３をスイッチング電源回路２２の一端に接続している。上記切換リレーＭＲ３０は、オフ状態で信号ラインＬ３と伝送用電源回路２４を接続しているが、オン状態になると、信号ラインＬ３と伝送用電源回路２４との接続が解除され、ＥＭＩフィルタＬＣ１の出力端子の一方(図４に示すＴ３)と伝送用電源回路２４を接続する。
【００２８】
上記伝送用電源回路２４は、切換リレーＭＲＭ３０を介して信号ラインＬ３に一端が接続された抵抗Ｒ１と、上記抵抗Ｒ１の他端にアノードが接続されたダイオードＤ１と、上記ダイオードＤ１のカソードにカソードが接続され、アノードが電源ラインＬ２に接続されたツェナーダイオードＺＤ１と、上記ツェナーダイオードＺＤ１に並列に接続された平滑コンデンサＣ１と、上記ツェナーダイオードＺＤ１に並列に接続された抵抗Ｒ２とを有している。上記抵抗Ｒ２は、ツェナーダイオードＺＤ１や平滑コンデンサＣ１の両端に過電圧が印可されることを防止する。
【００２９】
図１に示す電源ラインＬ１,Ｌ２から供給される交流電圧は、ダイオードＤ１により半波整流され、平滑コンデンサＣ１７１で平滑にされる。上記平滑にされた直流電圧は、ツェナーダイオードＺＤ１で一定電圧に調整されて、室外側送受信部２５に供給される。
【００３０】
図２は上記室内側送受信部１５の回路図を示しており、この室内側送受信部１５は、図２に示すように、端子１５１にアノードが接続されたダイオードＤ１５１と、上記ダイオードＤ１５１のカソードに一端が接続された抵抗Ｒ１５１と、上記抵抗Ｒ１５１の他端とコレクタが接続されたフォトトランジスタＱ１５１と、上記フォトトランジスタＱ１５１のエミッタにアノードが接続され、カソードが端子１５２に接続された発光ダイオードＤ１５２と、上記フォトトランジスタＱ１５１のコレクタにカソードが接続され、アノードがエミッタに接続されたツェナーダイオードＺＤ１５１と上記発光ダイオードＤ１５２の両端に並列に接続された抵抗Ｒ１５２とを有している。また、上記室内側送受信部１５は、フォトトランジスタＱ１５１と対の発光ダイオード(図示せず)とでフォトカプラを構成し、発光ダイオードＤ１５２と対のフォトトランジスタ(図示せず)とでフォトカプラを構成して、双方向通信を可能としている。上記室内側送受信部１５の端子１５１を通信ラインＬ３に接続し、端子１５２を電源ラインＬ２に接続している。
【００３１】
上記抵抗Ｒ１５１は、フォトトランジスタＱ１５１や発光ダイオードＤ１５２に流れる電流を制限しており、ダイオードＤ１５１は、電流が逆流することを防止している。また、上記ツェナーダイオードＺＤ１５１は、フォトトランジスタＱ１５１の両端に過電圧が印可されるのを防止し、抵抗Ｒ１５２は、発光ダイオードＤ１５２の両端に過電圧が印可されるのを防止している。
【００３２】
また、図３は室外側送受信部２５の回路図を示しており、室外送受信部２５は、図３に示すように、端子２５１にカソードが接続されたダイオードＤ２５１と、上記ダイオードＤ２５１のアノードに一端が接続された抵抗Ｒ２５１と、上記抵抗Ｒ２５１の他端にカソードが接続された発光ダイオードＤ２５２と、上記発光ダイオードＤ２５２の両端に並列に接続された抵抗Ｒ２５２と、上記発光ダイオードＤ２５２のアノードとエミッタが接続され、コレクタが端子２５２に接続されたフォトトランジスタＱ２５１と、上記フォトトランジスタＱ２５１のコレクタとエミッタとの間に接続された抵抗Ｒ２５３と、上記フォトトランジスタＱ２５１のコレクタにアノードが接続されたツェナーダイオードＺＤ２５１と、上記ツェナーダイオードＺＤ２５１のカソードとアノードが接続され、カソードがフォトトランジスタＱ２５１のエミッタに接続されたツェナーダイオードＺＤ２５２とを有する。また、上記室内側送受信部１５は、フォトトランジスタＱ２５１と対の発光ダイオード(図示せず)とでフォトカプラを構成し、発光ダイオードＤ２５２と対のフォトトランジスタ(図示せず)とでフォトカプラを構成して、双方向通信を可能としている。上記室外側送受信部２５の端子２５１を通信ラインＬ３に接続し、端子２５２を伝送用電源回路２４に接続している。
【００３３】
上記ダイオードＤ２５１は、電流が逆流することを防止し、抵抗Ｒ２５１は、フォトトランジスタＱ２５１や発光ダイオードＤ２５２に流れる電流を制限している。また、上記抵抗Ｒ２５２は、発光ダイオードＤ２５２の両端に過電圧が印可されるのを防止し、抵抗Ｒ２５３は、フォトトランジスタＱ１５１に過電流が流れるのを防止している。
【００３４】
図４は上記空気調和機の室外機のＥＭＩフィルタＬＣ１の回路図を示しており、ＥＭＩフィルタＬＣ１は、図４に示すように、端子Ｔ１に一端が接続されたコイルＬ１１と、端子Ｔ２に一端が接続され、上記コイルＬ１１とで相互誘導インダクタンスを形成するコイルＬ１２と、上記コイルＬ１１の他端と一端が接続され、他端が端子Ｔ３に接続されたコイルＬ１３と、上記コイルＬ１２の他端と一端が接続され、他端が端子Ｔ４に接続されたコイルＬ１４と、上記コイルＬ１３の他端に一端が接続され、他端が接地されたコンデンサＣ１２と、上記コイルＬ１４の他端に一端が接続され、他端がコンデンサＣ１２の他端に接続されたコンデンサＣ１３と、上記端子Ｔ３と端子Ｔ４との間に接続されたコンデンサＣ１１とを有する。
【００３５】
上記ＥＭＩフィルタＬＣ１の端子Ｔ１は電源ラインＬ１(図１に示す)に接続され、端子Ｔ２は電源ラインＬ２(図１に示す)に接続され、端子Ｔ３はリレーＭＲＭ１０,ＭＲＭ２０(図１に示す)に接続され、端子Ｔ４はスイッチング電源回路２２とＭＲＭ１１(図１に示す)に接続されている。
【００３６】
上記ＥＭＩフィルタＬＣ１において、電源回路２３(図１に示す)で発生した第１雑音は、電源ラインＬ１(図１に示す)を介して端子Ｔ３に入力されると共に、電源ラインＬ２(図１に示す)を介して端子Ｔ４に入力される。第１雑音は、主として低周波ノーマルモードノイズと高周波コモンモードノイズとを有する。低周波ノーマルモードノイズは、コンデンサＣ１１とコイルＬ１３とコイルＬ１４とで構成されるローパスフィルタの作用により、そのカットオフ周波数以上のものが除去される。一方、高周波コモンモードノイズは、コンデンサＣ１２とコンデンサＣ１３とコイルＬ１１とコイルＬ１２とで構成されるローパスフィルタの作用により、そのカットオフ周波数以上のものが除去される。
【００３７】
図１に示すように、室内機１０のリレーＭＲ１０は、待機状態から運転状態に切り換えるときに、室内マイコン１２によりリレーＭＲ１０が閉じられて、電源ラインＬ１から主電力が信号ラインＬ３に供給される。すなわち、信号ラインＬ３の電圧の上昇が、待機状態から運転状態に切り換える旨の信号である。
【００３８】
上記構成の空気調和機において、据付時に連絡配線Ｌ１〜Ｌ３の接続は、図１,図９(a)に示すように、室内機１０と室外機２０の端子ＡＣ同士、端子Ｓ同士、端子ＣＯＭ同士を接続するのが正しい。しかしながら、図９(b)〜図９(f)の５通りの誤接続があり得る。この中でも、図９(b)に示す誤接続は、図５Ｂに点線で示すように、リレーＭＲ１０をオンすると、外部電源３０を含む閉回路が形成されて部品(例えばリレーＭＲ１０)が損傷することになる。なお、図９(c)〜図９(f)の誤接続では、電源を含む閉回路が形成されず、部品の損傷はない。
【００３９】
そこで、この第１実施形態の空気調和機では、室内制御部１２は、待機状態から運転を開始するとき、室内側送受信部１５の受信出力に基づいて、室内機１０と室外機２０を接続する連絡配線Ｌ１〜Ｌ３が誤配線であるか否かを判断して誤配線であると判断したときは、リレーＭＲＭ１０をオンにしない。
【００４０】
図６は上記空気調和機の待機時から運転を開始するときの処理を説明するためのタイミング図を示している。図６において、図６(a)は空気調和機の運転開始信号を表し、図６(b)は室内側送受信部１５の受信出力を表し、図６(c)は誤配線のときのリレーＭＲ１０の動作状態を表し、図６(d)は配線が正しいときのリレーＭＲ１０の動作状態を表している。
【００４１】
図６に示すように、まず、待機中(運転停止中)に室内機１０の図示しないリモコンを操作して、運転を開始すると、室内制御部１２は運転開始信号(図６(a)に示す)を受けた後、所定時間(例えば１秒)経過後に室内側送受信部１５の受信出力を確認する。このとき、図５に示すように連絡配線が誤配線されていると、室内側送受信部１５の受信出力は、図６(b)に示すように、周期的にオンオフを繰り返す。これは、図５Ａに点線で示すように閉回路が形成されて、信号ラインＬ３に交流電圧が印加され、室内側送受信部１５のダイオードＤ１５１が交流電圧の半波(周波数５０Ｈzでは２０ｍｓｅｃ)ごとに発光するためである。
【００４２】
上記室内制御部１２は、室内側送受信部１５の受信出力を数ｍｓｅｃ周期で確認して、２回連続してハイレベルのときは、誤配線であると判断して、図６(c)に示すようにリレーＭＲ１０をオンしない。一方、正常に配線されているときは、通信を行わない限り、室内側送受信部１５の受信出力がオンしないので、室内制御部１２は、誤配線でないと判断して、図６(d)に示すようにリレーＭＲ１０を所定時間(例えば数十ｍｓｅｃ)オンする。
【００４３】
また、上記室内制御部１２が室内側送受信部１５の受信出力に基づいて誤配線であると判断すると、表示部１３により誤配線であることを使用者に報知する。
【００４４】
上記第１実施形態の空気調和機によれば、室内機１０と室外機２０とを接続する連絡配線(Ｌ１〜Ｌ３)が誤配線された状態で運転を開始しても、簡単な構成で部品破損を防止することができる。
【００４５】
また、図５Ａに示す誤配線において信号ラインＬ３に電源電圧が印加され、室内側送受信部１５の受信出力がオンすることにより、リレーＭＲ１０をオンする前に、連絡配線(Ｌ１〜Ｌ３)が誤配線であると容易に判断することが可能になる。
【００４６】
また、上記室内制御部１２が連絡配線(Ｌ１〜Ｌ３)が誤配線であると判断すると、表示部１３により使用者に誤配線を報知するので、据付時に作業者が不具合の原因を知ることができ、迅速な対応を行うことができる。
【００４７】
(第２実施形態)
図７はこの発明の第２実施形態の空気調和機の構成図であり、１０は室内機、２０は上記室内機１０に連絡配線(Ｌ１〜Ｌ３)を介して接続された室外機、３０は上記室内機１０に接続された外部電源である。
【００４８】
上記室内機１０は、一端が電源ラインＬ１に接続され、他端が電源ラインＬ２に接続された電源回路１１と、一端が信号ラインＬ３の一端に接続され、他端が電源ラインＬ２に接続された室内側送受信手段の一例としての室内側送受信部１５と、電源ラインＬ１と信号ラインＬ３との間に接続された常時開状態の室内側開閉手段の一例としてのリレーＭＲ１０とを備えている。上記電源回路１１の両端に外部電源３０から供給される電圧が印加される。また、上記室内機１０は、電源回路１１から電力が供給され、リレーＭＲ１０などを制御する室内制御手段の一例としての室内制御部１２と、上記室内制御部１２により制御される報知手段の一例としての表示部１３とを備えている。
【００４９】
一方、上記室外機２０は、電源ラインＬ１,Ｌ２に入力端子が接続されたＥＭＩフィルタＬＣ１と、信号ラインＬ３の他端に接続された室外側送受信手段の一例としての室外側送受信部２５と、上記室外側送受信部２５に電力を供給する伝送用電源回路２４と、上記ＥＭＩフィルタＬＣ１の出力端子の一端と運転電力供給用開閉手段の一例としてのリレーＭＲＭ１０を介して接続されたスイッチング電源回路２２と、上記スイッチング電源回路２２の一端に一端が接続された負荷の一例としての電源回路２３とを備えている。上記信号ラインＬ３に起動電力供給用開閉手段の一例としての切換リレーＭＲ３０の一端を接続し、切換リレーＭＲ３０の他端を抵抗Ｒ１１の一端に接続している。上記抵抗Ｒ１１の他端を、リレーＭＲＭ１０とスイッチング電源回路２２との間の接続点に接続している。また、上記ＥＭＩフィルタＬＣ１の出力端子の他端にスイッチング電源回路２２の他端と電源回路２３の他端を接続している。また、上記室外機２０は、スイッチング電源回路２２から電力が供給され、リレーＭＲＭ１０などを制御する室外制御手段の一例としての室外制御部２１を備えている。
【００５０】
上記室内側送受信部１５,伝送用電源回路２４,室外側送受信部２５およびＥＭＩフィルタＬＣ１は、第１実施形態の空気調和機と同一の構成をしており、説明を省略する。
【００５１】
図７に示すように、室内機１０のリレーＭＲ１０は、待機状態から運転状態に切り換えるときに、室内マイコン１２によりリレーＭＲ１０が閉じられて、電源ラインＬ１から主電力が信号ラインＬ３に供給される。すなわち、待機状態から運転状態に切り換える旨の信号が、信号ラインＬ３の電圧の上昇である点で、第１実施形態と同様である。
【００５２】
上記構成の空気調和機において、据付時に連絡配線Ｌ１〜Ｌ３の接続は、図７,図９(a)に示すように、端子ＡＣ同士、端子Ｓ同士、端子ＣＯＭ同士を接続するのが正しい。しかしながら、図９(b)〜図９(f)の５通りの誤接続があり得る。この中でも、図９(b)に示す誤接続は、部品が損傷することになる。
【００５３】
そこで、この第２実施形態の空気調和機では、室外制御部２１は、室内機１０のリレーＭＲ１０をオンにすることにより信号ラインＬ３を介して室内機１０側からの起動のための電力が供給されて、待機状態から運転を開始するとき、起動リレーＭＲ３０を開状態にした後、所定時間(例えば数十ｍｓｅｃ)経過後にリレーＭＲＭ１０をオンする。
【００５４】
詳しくは、上記室内機１０のリレーＭＲＭ１０をオンすると、信号ラインＬ３に交流電圧が印加され、室外機２０の切換リレーＭＲ３０と抵抗Ｒ１１を介してスイッチング電源回路２２に電力が供給される。そして、スイッチング電源回路２２から直流電圧が伝送用電源回路２４と室外制御部２１に出力される。それにより、上記スイッチング電源回路２２から直流電圧を受けて動作した室外制御部２１は、起動リレーＭＲ３０を開状態にした後、スイッチング電源回路２２の直流電圧出力がなくなる前、かつ、所定時間(例えば数十ｍｓｅｃ)経過後、リレーＭＲＭ１０をオンする。そうすることによって、電源ラインＬ１,Ｌ２を介して室内機１０側からの運転のための電力がスイッチング電源回路２２と電源回路２３に供給される。
【００５５】
上記第２実施形態の空気調和機によれば、室内機１０と室外機２０とを接続する連絡配線(Ｌ１〜Ｌ３)が誤配線された状態で運転を開始しても、簡単な構成で部品破損を防止することができる。
【００５６】
また、上記リレーＭＲＭ１０をオンしてから、室内側送受信部１５により室外側送受信部２５との通信ができないとき、室内制御部１２は、連絡配線(Ｌ１〜Ｌ３)が誤配線であると判断して、表示部１３により使用者に誤配線を報知するので、据付時に作業者が不具合の原因を知ることができ、迅速な対応を行うことができる。
【００５７】
上記第２実施形態では、室内機１０に外部電源３０を接続したが、室外機に外部電源を接続してもよい。
【００５８】
また、上記第１,第２実施形態では、報知手段として表示部１３を用いたが、報知手段はこれに限らず、音声やブザー音で報知するものであってもよい。
【図面の簡単な説明】
【００５９】
【図１】図１はこの発明の第１実施形態の空気調和機の構成図である。
【図２】図２は上記空気調和機の室内側送受信部の回路図である。
【図３】図３は上記空気調和機の室外側送受信部の回路図である。
【図４】図４は上記空気調和機の室外機のＥＭＩフィルタの回路図である。
【図５Ａ】図５Ａは上記空気調和機の誤配線時の結線図である。
【図５Ｂ】図５Ｂは上記空気調和機の誤配線時にＭＲ１０をオンしたときの状態を示す図である。
【図６】図６は上記空気調和機の待機時から運転を開始するときの処理を示すタイミング図である。
【図７】図７はこの発明の第２実施形態の空気調和機の回路図である。
【図８】図８は上記空気調和機の誤配線時の結線図である。
【図９】図９は空気調和機の正しい配線および誤配線を説明するための結線図である。
【符号の説明】
【００６０】
１０…室内機
１１…電源回路
１２…室内制御部
１５…室内側送受信部
２０…室外機
２１…室外制御部
２２…スイッチング電源回路
２３…電源回路
２４…伝送用電源回路
２５…室外側送受信部
３０…外部電源
ＭＲ１０…リレー
ＭＲ３０…切換リレー
ＭＲＭ１０,ＭＲＭ２０…リレー
Ｌ１,Ｌ２…電源ライン
Ｌ３…信号ライン
ＬＣ１…ＥＭＩフィルタ
【手続補正２】
【補正対象書類名】図面
【補正対象項目名】図９
【補正方法】変更
【補正の内容】
【図９】
2006153346.tif 000013
【手続補正書】
【提出日】平成18年3月16日(2006.3.16)
【手続補正１】
【補正対象書類名】特許請求の範囲
【補正対象項目名】全文
【補正方法】変更
【補正の内容】
【特許請求の範囲】
【請求項１】
連絡配線で接続された室内機(１０)と室外機(２０)を備えた空気調和機であって、
上記連絡配線は、外部の電源から上記室外機(２０)を介して上記室内機(１０)に電力を供給するための２本の電源ライン(Ｌ１,Ｌ２)と、上記室内機(１０)と上記室外機(２０)との間の通信を行うための１本の信号ライン(Ｌ３)とを有し、
上記室内機(１０)は、上記信号ライン(Ｌ３)に接続され、フォトカプラを用いた室内側送受信手段(１５)と、上記電源ライン(Ｌ１)の一方と上記信号ライン(Ｌ３)との間に接続され、上記室外機(２０)の電力供給が停止した待機状態から運転を開始する起動時に閉状態にする室内側開閉手段(ＭＲ１０)と、上記室内側開閉手段(ＭＲ１０)の制御を行う室内制御手段(１２)とを有すると共に、
上記室外機(２０)は、上記信号ライン(Ｌ３)に接続され、フォトカプラを用いた室外側送受信手段(２５)と、上記連絡配線の２本の電源ライン(Ｌ１,Ｌ２)から電力が供給される負荷(２３)とを有し、
上記室内機(１０)の室内制御手段(１２)は、上記待機状態から運転を開始するとき、上記室内側送受信手段(１５)の受信出力に基づいて、上記室内機(１０)と上記室外機(２０)を接続する上記連絡配線が誤配線でないと判断すると、上記室内側開閉手段(ＭＲ１０)を閉状態にして、上記電源ライン(Ｌ１)の一方から上記室内側開閉手段(ＭＲ１０)と上記信号ライン(Ｌ３)を介して起動のための電力を上記室外機(２０)側に供給する一方、上記室内機(１０)と上記室外機(２０)を接続する上記連絡配線が誤配線であると判断すると、上記室内側開閉手段(ＭＲ１０)を閉状態にしないことを特徴とする空気調和機。
【請求項２】
請求項１に記載の空気調和機において、
上記室内機(１０)の室内制御手段(１２)は、上記室外機(２０)の電力供給が停止した待機状態から運転を開始するとき、上記室内側送受信手段(１５)の受信出力がオンすると、上記室内機(１０)と上記室外機(２０)を接続する上記連絡配線が誤配線であると判断することを特徴とする空気調和機。
【請求項３】
請求項１または２に記載の空気調和機において、
上記室内機(１０)は、使用者に誤配線を報知するための報知手段(１３)を有し、
上記室内制御手段(１２)は、上記室内機(１０)と上記室外機(２０)を接続する上記連絡配線が誤配線であると判断すると、上記報知手段(１３)により使用者に誤配線を報知することを特徴とする空気調和機。
【請求項４】
連絡配線で接続された室内機(１０)と室外機(２０)を備えた空気調和機であって、
上記連絡配線は、外部の電源から上記室内機(１０)または上記室外機(２０)の一方を介して上記室内機(１０)または上記室外機(２０)の他方に電力を供給するための２本の電源ライン(Ｌ１,Ｌ２)と、上記室内機(１０)と上記室外機(２０)との間の通信を行うための１本の信号ライン(Ｌ３)とを有し、
上記室内機(１０)は、上記電源ライン(Ｌ１)の一方と上記信号ライン(Ｌ３)との間に接続され、上記室外機(２０)の電力供給が停止した待機状態から運転を開始する起動時に閉状態にする室内側開閉手段(ＭＲ１０)を有すると共に、
上記室外機(２０)は、上記室内機(１０)の室内側開閉手段(ＭＲ１０)が閉状態にされたときに上記信号ライン(Ｌ３)を介して上記室内機(１０)側からの起動のための電力が供給されるように閉状態する起動電力供給用開閉手段(ＭＲ３０)と、運転時に上記電源ライン(Ｌ１)を介して運転のための電力が負荷に供給されるように閉状態にする一方、上記待機時に開状態にする運転電力供給用開閉手段(ＭＲＭ１０)と、上記運転電力供給用開閉手段(ＭＲＭ１０)と上記起動電力供給用開閉手段(ＭＲ３０)とを制御する室外制御手段(２１)とを有し、
上記室外機(２０)の室外制御手段(２１)は、上記室内機(１０)の室内側開閉手段(ＭＲ１０)が閉状態にされることにより上記信号ライン(Ｌ３)と上記起動電力供給用開閉手段(ＭＲ３０)を介して上記室内機(１０)側からの起動のための電力が供給されて上記待機状態から運転を開始するとき、上記起動電力供給用開閉手段(ＭＲ３０)を開状態にした後、所定時間経過後に上記運転電力供給用開閉手段(ＭＲＭ１０)を閉状態にすることを特徴とする空気調和機。
【請求項５】
請求項４に記載の空気調和機において、
上記室内機(１０)は、上記信号ライン(Ｌ３)に接続された室内側送受信手段(１５)と、上記室内側開閉手段(ＭＲ１０)と上記室内側送受信手段(１５)を制御する室内制御手段(１２)と、使用者に誤配線であることを報知するための報知手段(１３)とを有すると共に、
上記室外機(２０)は、上記信号ライン(Ｌ３)に接続され、上記室内側送受信手段(１５)と通信を行う室外側送受信手段(２５)を有し、
上記室内制御手段(１２)は、上記待機状態から運転を開始するために上記室内側開閉手段(ＭＲ１０)を閉状態にしてから、上記室内側送受信手段(１５)により上記室外側送受信手段(２５)との通信ができないとき、上記室内機(１０)と上記室外機(２０)を接続する上記連絡配線が誤配線であると判断して、上記報知手段(１３)により使用者に誤配線であることを報知することを特徴とする空気調和機。
【手続補正２】
【補正対象書類名】明細書
【補正対象項目名】全文
【補正方法】変更
【補正の内容】
【発明の詳細な説明】
【技術分野】
【０００１】
この発明は、連絡配線で接続された室内機と室外機を備えた空気調和機に関する。
【背景技術】
【０００２】
従来、電力供給を外部から室外機で受けて、電源ラインを介した各部への主電力の供給を待機状態において制限することにより、室内機および室外機の待機状態における消費電力を低減することが可能な空気調和機が提案されている(例えば、特開２０００−１１１１２３号公報(特許文献１)参照)。この空気調和機は、室内機と、室外機と、室内機と室外機との間で伝送信号を送受信するための信号ラインとを備えている。
【０００３】
上記従来の空気調和機では、信号ラインを介した伝送信号の伝送が、交流電力により行われていたため、その通信速度が周波数に依存し、高速化が困難な傾向にある。一方、信号ラインを介した伝送信号の伝送を高速化するために新たに電源を設けた場合、その電源を設けたために室内機および室外機の待機状態における消費電力が増加するおそれがあった。
【０００４】
そこで、このような問題を解決するため、本出願人により、伝送信号を高速で伝送できると共に、室内機および室外機の待機状態における消費電力を低減することができる空気調和機および制御方法が提案されている。なお、この空気調和機および制御方法は、この発明を理解しやすくするために説明するものであって、公知技術ではなく、従来技術ではない。
【０００５】
この空気調和機では、室内機と室外機を接続する連絡配線の電源ラインの一方と信号ラインとの間にリレーを設けて、室外機の電力が遮断された待機状態から運転を開始するとき、上記リレーを所定時間オンすることにより、信号ラインを用いて起動用の電力を室外機に送って、室外機の運転電力供給用リレーをオンする構成としている。
【０００６】
しかしながら、上記空気調和機において、室内機と室外機との間を連絡配線で接続するとき、結線を誤って誤配線すると、室内機側の一部と室外機側の一部で電源を含む閉回路が形成される場合があり、これにより部品が破損するという問題がある。
【特許文献１】特開２０００−１１１１２３号公報
【発明の開示】
【発明が解決しようとする課題】
【０００７】
そこで、この発明の目的は、室内機と室外機とを接続する連絡配線が誤配線された状態で運転を開始しても、簡単な構成で部品破損を防止できる空気調和機を提供することにある。
【課題を解決するための手段】
【０００８】
上記目的を達成するため、第１の発明の空気調和機は、連絡配線で接続された室内機と室外機を備えた空気調和機であって、上記連絡配線は、外部の電源から上記室外機を介して上記室内機に電力を供給するための２本の電源ラインと、上記室内機と上記室外機との間の通信を行うための１本の信号ラインとを有し、上記室内機は、上記信号ラインに接続され、フォトカプラを用いた室内側送受信手段と、上記電源ラインの一方と上記信号ラインとの間に接続され、上記室外機の電力供給が停止した待機状態から運転を開始する起動時に閉状態にする室内側開閉手段と、上記室内側開閉手段の制御を行う室内制御手段とを有すると共に、上記室外機は、上記信号ラインに接続され、フォトカプラを用いた室外側送受信手段と、上記連絡配線の２本の電源ラインから電力が供給される負荷とを有し、上記室内機の室内制御手段は、上記待機状態から運転を開始するとき、上記室内側送受信手段の受信出力に基づいて、上記室内機と上記室外機を接続する上記連絡配線が誤配線でないと判断すると、上記室内側開閉手段を閉状態にして、上記電源ラインの一方から上記室内側開閉手段と上記信号ラインを介して起動のための電力を上記室外機側に供給する一方、上記室内機と上記室外機を接続する上記連絡配線が誤配線であると判断すると、上記室内側開閉手段を閉状態にしないことを特徴とする。
【０００９】
例えば、上記室内機の信号ラインが接続される端子と、上記室外機の電源ラインの他方が接続される端子とが接続され、上記室外機の信号ラインが接続される端子と、上記室内機の電源ラインの他方が接続される端子とが接続されて、連絡配線の一部が入れ替わって接続された場合、上記室外機の電力供給が停止した待機状態から運転を開始する起動時に、そのまま上記室内側開閉手段を閉状態にすると、室内側開閉手段を介して室内機の一部と室外機の一部と電源とで閉回路が形成され、回路に過電流が流れて部品を破損してしまう。これに対して、上記構成の空気調和機によれば、上記室内機の室内制御手段は、このような誤配線された状態で待機状態から運転を開始するとき、室内側送受信手段の受信出力に基づいて、室内機と室外機を接続する連絡配線が誤配線であると判断する。すなわち、上記のような誤配線では、信号ラインに電源電圧が印加され、室内側送受信手段の受信出力がオンすることにより、室内側開閉手段を閉状態にする前に、連絡配線が誤配線であると判断することが可能になる。したがって、室内機と室外機とを接続する連絡配線が誤配線された状態で運転を開始しても、室内側送受信手段を用いる簡単な構成で部品破損を防止できる。
【００１０】
また、一実施形態の空気調和機は、上記室内機の室内制御手段は、上記室外機の電力供給が停止した待機状態から運転を開始するとき、上記室内側送受信手段の受信出力がオンすると、上記室内機と上記室外機を接続する上記連絡配線が誤配線であると判断することを特徴とする。
【００１１】
上記実施形態の空気調和機によれば、上述のような誤配線において信号ラインに電源電圧が印加され、室内側送受信手段の受信出力がオンすることにより、室内側開閉手段を閉状態にする前に、連絡配線が誤配線であると容易に判断することが可能になる。
【００１２】
また、一実施形態の空気調和機は、上記室内機は、使用者に誤配線を報知するための報知手段を有し、上記室内制御手段は、上記室内機と上記室外機を接続する上記連絡配線が誤配線であると判断すると、上記報知手段により使用者に誤配線を報知することを特徴とする。
【００１３】
上記実施形態の空気調和機によれば、上記連絡配線が誤配線であると判断すると、報知手段により使用者に誤配線を報知するので、据付時に作業者が不具合の原因を知ることができ、迅速な対応を行うことができる。
【００１４】
また、第２の発明の空気調和機は、連絡配線で接続された室内機と室外機を備えた空気調和機であって、上記連絡配線は、外部の電源から上記室内機または上記室外機の一方を介して上記室内機または上記室外機の他方に電力を供給するための２本の電源ラインと、上記室内機と上記室外機との間の通信を行うための１本の信号ラインとを有し、上記室内機は、上記電源ラインの一方と上記信号ラインとの間に接続され、上記室外機の電力供給が停止した待機状態から運転を開始する起動時に閉状態にする室内側開閉手段を有すると共に、上記室外機は、上記室内機の室内側開閉手段が閉状態にされることにより上記信号ラインを介して上記室内機側からの起動のための電力が供給されるように閉状態する起動電力供給用開閉手段と、運転時に上記電源ラインを介して運転のための電力が負荷に供給されるように閉状態にする一方、上記待機時に開状態にする運転電力供給用開閉手段と、上記運転電力供給用開閉手段と上記起動電力供給用開閉手段とを制御する室外制御手段とを有し、上記室外機の室外制御手段は、上記室内機の室内側開閉手段が閉状態にされることにより上記信号ラインと上記起動電力供給用開閉手段を介して上記室内機側からの起動のための電力が供給されて上記待機状態から運転を開始するとき、上記起動電力供給用開閉手段を開状態にした後、所定時間経過後に上記運転電力供給用開閉手段を閉状態にすることを特徴とする。
【００１５】
例えば、上記室内機の信号ラインが接続される端子と、上記室外機の電源ラインの他方が接続される端子とが接続され、上記室外機の信号ラインが接続される端子と、上記室内機の電源ラインの他方が接続される端子とが接続されて、連絡配線が入れ替わって接続された場合、上記室外機の電力供給が停止した待機状態から運転を開始するときに、そのまま上記室内側開閉手段を閉状態にすると、室内側開閉手段を介して室内機の一部と室外機の一部(運転電力供給用開閉手段と起動電力供給用開閉手段を含む)と電源とで閉回路が形成され、回路に過電流が流れて部品を破損してしまう。これに対して、上記構成の空気調和機によれば、室内機の室内側開閉手段が閉状態にされることにより室内側開閉手段と信号ラインを介して室内機側から室外機側に起動のための電力が供給されて、待機状態から運転を開始するとき、室外機の室外制御手段により、起動電力供給用開閉手段を開状態にした後、所定時間経過後に運転電力供給用開閉手段を閉状態にする。すなわち、運転電力供給用開閉手段を閉状態する前に、先に起動電力供給用開閉手段を開状態にすることにより、室内側開閉手段を介して室内機の一部と室外機の一部と電源とで閉回路が形成されなくなる。したがって、室内機と室外機とを接続する連絡配線が誤配線された状態で運転を開始しても、簡単な構成で部品破損を防止できる。
【００１６】
また、一実施形態の空気調和機は、上記室内機は、上記信号ラインに接続された室内側送受信手段と、上記室内側開閉手段と上記室内側送受信手段を制御する室内制御手段と、使用者に誤配線であることを報知するための報知手段とを有すると共に、上記室外機は、上記信号ラインに接続され、上記室内側送受信手段と通信を行う室外側送受信手段を有し、上記室内制御手段は、上記待機状態から運転を開始するために上記室内側開閉手段を閉状態にしてから、上記室内側送受信手段により上記室外側送受信手段との通信ができないとき、上記室内機と上記室外機を接続する上記連絡配線が誤配線であると判断して、上記報知手段により使用者に誤配線であることを報知することを特徴とする。
【００１７】
上記実施形態の空気調和機によれば、上記室内側開閉手段を閉状態にしてから、室内側送受信手段により上記室外側送受信手段との通信ができないとき、室内制御手段は、連絡配線が誤配線であると判断して、報知手段により使用者に誤配線を報知するので、据付時に作業者が不具合の原因を知ることができ、迅速な対応を行うことができる。
【発明の効果】
【００１８】
以上より明らかなように、第１の発明の空気調和機によれば、誤配線された状態で待機状態から運転を開始するとき、室内側送受信手段の受信出力に基づいて、室内機の室内制御手段が室内機と室外機を接続する連絡配線が誤配線であると判断して、上記室内側開閉手段を閉状態にしないことによって、室内機と室外機とを接続する連絡配線が誤配線された状態で運転を開始しても、簡単な構成で部品破損を防止することができる。
【００１９】
また、一実施形態の空気調和機によれば、誤配線において信号ラインに電源電圧が印加され、室内側送受信手段の受信出力がオンすることにより、室内側開閉手段を閉状態にする前に、連絡配線が誤配線であると容易に判断することが可能になる。
【００２０】
また、一実施形態の空気調和機によれば、上記室内制御手段が連絡配線が誤配線であると判断したとき、報知手段により使用者に誤配線を報知することによって、据付時に作業者が不具合の原因を知ることができ、迅速な対応を行うことができる。
【００２１】
また、第２の発明の空気調和機によれば、室内機の室内側開閉手段が閉状態にされることにより室内側開閉手段と信号ラインを介して室内機側から室外機側に起動のための電力が供給されて、待機状態から運転を開始するとき、室外機の室外制御手段により、起動電力供給用開閉手段を開状態にした後、所定時間経過後に運転電力供給用開閉手段を閉状態にすることによって、室内機と室外機とを接続する連絡配線が誤配線された状態で運転を開始しても、簡単な構成で部品破損を防止することができる。
【００２２】
また、一実施形態の空気調和機によれば、上記室内側開閉手段を閉状態にしてから、室内側送受信手段により室外側送受信手段との通信ができないとき、室内制御手段は、連絡配線が誤配線であると判断して、報知手段により使用者に誤配線を報知することによって、据付時に作業者が不具合の原因を知ることができ、迅速な対応を行うことができる。
【発明を実施するための最良の形態】
【００２３】
以下、この発明の空気調和機を図示の実施の形態により詳細に説明する。
【００２４】
(第１実施形態)
図１はこの発明の第１実施形態の空気調和機の構成図であり、１０は室内機、２０は上記室内機１０に連絡配線(Ｌ１〜Ｌ３)を介して接続された室外機、３０は上記室内機１０に接続された外部電源である。
【００２５】
上記室内機１０は、一端が電源ラインＬ１に接続され、他端が電源ラインＬ２に接続された電源回路１１と、一端が信号ラインＬ３の一端に接続され、他端が電源ラインＬ２に接続された室内側送受信手段の一例としての室内側送受信部１５と、電源ラインＬ１と信号ラインＬ３との間に接続された室内側開閉手段の一例としてのリレーＭＲ１０とを備え、リレーＭＲ１０は常時開状態としている。また、上記室内機１０は、電源回路１１から電力が供給され、リレーＭＲ１０などを制御する室内制御手段の一例としての室内制御部１２と、上記室内制御部１２により制御される報知手段の一例としての表示部１３とを備えている。上記電源回路１１の両端に電源ラインＬ１,Ｌ２を介して外部電源３０から供給される電源電圧が印加される。
【００２６】
一方、上記室外機２０は、電源ラインＬ１,Ｌ２に入力端子(図４に示すＴ１,Ｔ２)が接続されたＥＭＩフィルタＬＣ１と、信号ラインＬ３の他端に接続された室外側送受信手段の一例としての室外側送受信部２５と、上記信号ラインＬ３に切換リレーＭＲ３０を介して一端が接続され、上記室外側送受信部２５に電力を供給する伝送用電源回路２４と、上記信号ラインＬ３に切換リレーＭＲ３０を介して一端が接続されたスイッチング電源回路２２と、上記ＥＭＩフィルタＬＣ１の出力端子の一端(図４に示すＴ３)にリレーＭＲＭ１０を介して一端が接続された負荷の一例としての電源回路２３とを備えている。また、上記ＥＭＩフィルタＬＣ１の出力端子の他端(図４に示すＴ４)にスイッチング電源回路２２の他端を接続し、ＥＭＩフィルタＬＣ１の出力端子の他端にリレーＭＲＭ１１を介して電源回路２３の他端を接続している。また、上記リレーＭＲＭ１０の両端に、リレーＭＲＭ２０と抵抗Ｒ１１をＥＭＩフィルタＬＣ１側から順に直列に接続している。また、上記室外機２０は、スイッチング電源回路２２から電力が供給され、リレーＭＲＭ１０,ＭＲＭ２０,ＭＲＭ１１およびＭＲ３０などを制御する室外制御手段の一例としての室外制御部２１を備えている。上記抵抗Ｒ１１は、待機状態から電力供給を開始するときにリレーＭＲＭ１１やリレーＭＲＭ２０に過電流が流れることを防止する。
【００２７】
上記切換リレーＭＲ３０は、入力端子１,２と出力端子３とを有し、入力端子１を信号ラインＬ３に接続し、入力端子２をＥＭＩフィルタＬＣ１の出力端子の一端(図４に示すＴ３)に接続し、出力端子３をスイッチング電源回路２２の一端に接続している。上記切換リレーＭＲ３０は、オフ状態で信号ラインＬ３と伝送用電源回路２４を接続しているが、オン状態になると、信号ラインＬ３と伝送用電源回路２４との接続が解除され、ＥＭＩフィルタＬＣ１の出力端子の一方(図４に示すＴ３)と伝送用電源回路２４を接続する。
【００２８】
上記伝送用電源回路２４は、切換リレーＭＲＭ３０を介して信号ラインＬ３に一端が接続された抵抗Ｒ１と、上記抵抗Ｒ１の他端にアノードが接続されたダイオードＤ１と、上記ダイオードＤ１のカソードにカソードが接続され、アノードが電源ラインＬ２に接続されたツェナーダイオードＺＤ１と、上記ツェナーダイオードＺＤ１に並列に接続された平滑コンデンサＣ１と、上記ツェナーダイオードＺＤ１に並列に接続された抵抗Ｒ２とを有している。上記抵抗Ｒ２は、ツェナーダイオードＺＤ１や平滑コンデンサＣ１の両端に過電圧が印可されることを防止する。
【００２９】
図１に示す電源ラインＬ１,Ｌ２から供給される交流電圧は、ダイオードＤ１により半波整流され、平滑コンデンサＣ１７１で平滑にされる。上記平滑にされた直流電圧は、ツェナーダイオードＺＤ１で一定電圧に調整されて、室外側送受信部２５に供給される。
【００３０】
図２は上記室内側送受信部１５の回路図を示しており、この室内側送受信部１５は、図２に示すように、端子１５１にアノードが接続されたダイオードＤ１５１と、上記ダイオードＤ１５１のカソードに一端が接続された抵抗Ｒ１５１と、上記抵抗Ｒ１５１の他端とコレクタが接続されたフォトトランジスタＱ１５１と、上記フォトトランジスタＱ１５１のエミッタにアノードが接続され、カソードが端子１５２に接続された発光ダイオードＤ１５２と、上記フォトトランジスタＱ１５１のコレクタにカソードが接続され、アノードがエミッタに接続されたツェナーダイオードＺＤ１５１と上記発光ダイオードＤ１５２の両端に並列に接続された抵抗Ｒ１５２とを有している。また、上記室内側送受信部１５は、フォトトランジスタＱ１５１と対の発光ダイオード(図示せず)とでフォトカプラを構成し、発光ダイオードＤ１５２と対のフォトトランジスタ(図示せず)とでフォトカプラを構成して、双方向通信を可能としている。上記室内側送受信部１５の端子１５１を通信ラインＬ３に接続し、端子１５２を電源ラインＬ２に接続している。
【００３１】
上記抵抗Ｒ１５１は、フォトトランジスタＱ１５１や発光ダイオードＤ１５２に流れる電流を制限しており、ダイオードＤ１５１は、電流が逆流することを防止している。また、上記ツェナーダイオードＺＤ１５１は、フォトトランジスタＱ１５１の両端に過電圧が印可されるのを防止し、抵抗Ｒ１５２は、発光ダイオードＤ１５２の両端に過電圧が印可されるのを防止している。
【００３２】
また、図３は室外側送受信部２５の回路図を示しており、室外送受信部２５は、図３に示すように、端子２５１にカソードが接続されたダイオードＤ２５１と、上記ダイオードＤ２５１のアノードに一端が接続された抵抗Ｒ２５１と、上記抵抗Ｒ２５１の他端にカソードが接続された発光ダイオードＤ２５２と、上記発光ダイオードＤ２５２の両端に並列に接続された抵抗Ｒ２５２と、上記発光ダイオードＤ２５２のアノードとエミッタが接続され、コレクタが端子２５２に接続されたフォトトランジスタＱ２５１と、上記フォトトランジスタＱ２５１のコレクタとエミッタとの間に接続された抵抗Ｒ２５３と、上記フォトトランジスタＱ２５１のコレクタにアノードが接続されたツェナーダイオードＺＤ２５１と、上記ツェナーダイオードＺＤ２５１のカソードとアノードが接続され、カソードがフォトトランジスタＱ２５１のエミッタに接続されたツェナーダイオードＺＤ２５２とを有する。また、上記室内側送受信部１５は、フォトトランジスタＱ２５１と対の発光ダイオード(図示せず)とでフォトカプラを構成し、発光ダイオードＤ２５２と対のフォトトランジスタ(図示せず)とでフォトカプラを構成して、双方向通信を可能としている。上記室外側送受信部２５の端子２５１を通信ラインＬ３に接続し、端子２５２を伝送用電源回路２４に接続している。
【００３３】
上記ダイオードＤ２５１は、電流が逆流することを防止し、抵抗Ｒ２５１は、フォトトランジスタＱ２５１や発光ダイオードＤ２５２に流れる電流を制限している。また、上記抵抗Ｒ２５２は、発光ダイオードＤ２５２の両端に過電圧が印可されるのを防止し、抵抗Ｒ２５３は、フォトトランジスタＱ１５１に過電流が流れるのを防止している。
【００３４】
図４は上記空気調和機の室外機のＥＭＩフィルタＬＣ１の回路図を示しており、ＥＭＩフィルタＬＣ１は、図４に示すように、端子Ｔ１に一端が接続されたコイルＬ１１と、端子Ｔ２に一端が接続され、上記コイルＬ１１とで相互誘導インダクタンスを形成するコイルＬ１２と、上記コイルＬ１１の他端と一端が接続され、他端が端子Ｔ３に接続されたコイルＬ１３と、上記コイルＬ１２の他端と一端が接続され、他端が端子Ｔ４に接続されたコイルＬ１４と、上記コイルＬ１３の他端に一端が接続され、他端が接地されたコンデンサＣ１２と、上記コイルＬ１４の他端に一端が接続され、他端がコンデンサＣ１２の他端に接続されたコンデンサＣ１３と、上記端子Ｔ３と端子Ｔ４との間に接続されたコンデンサＣ１１とを有する。
【００３５】
上記ＥＭＩフィルタＬＣ１の端子Ｔ１は電源ラインＬ１(図１に示す)に接続され、端子Ｔ２は電源ラインＬ２(図１に示す)に接続され、端子Ｔ３はリレーＭＲＭ１０,ＭＲＭ２０(図１に示す)に接続され、端子Ｔ４はスイッチング電源回路２２とＭＲＭ１１(図１に示す)に接続されている。
【００３６】
上記ＥＭＩフィルタＬＣ１において、電源回路２３(図１に示す)で発生した第１雑音は、電源ラインＬ１(図１に示す)を介して端子Ｔ３に入力されると共に、電源ラインＬ２(図１に示す)を介して端子Ｔ４に入力される。第１雑音は、主として低周波ノーマルモードノイズと高周波コモンモードノイズとを有する。低周波ノーマルモードノイズは、コンデンサＣ１１とコイルＬ１３とコイルＬ１４とで構成されるローパスフィルタの作用により、そのカットオフ周波数以上のものが除去される。一方、高周波コモンモードノイズは、コンデンサＣ１２とコンデンサＣ１３とコイルＬ１１とコイルＬ１２とで構成されるローパスフィルタの作用により、そのカットオフ周波数以上のものが除去される。
【００３７】
図１に示すように、室内機１０のリレーＭＲ１０は、待機状態から運転状態に切り換えるときに、室内マイコン１２によりリレーＭＲ１０が閉じられて、電源ラインＬ１から主電力が信号ラインＬ３に供給される。すなわち、信号ラインＬ３の電圧の上昇が、待機状態から運転状態に切り換える旨の信号である。
【００３８】
上記構成の空気調和機において、据付時に連絡配線Ｌ１〜Ｌ３の接続は、図１,図９(a)に示すように、室内機１０と室外機２０の端子ＡＣ同士、端子Ｓ同士、端子ＣＯＭ同士を接続するのが正しい。しかしながら、図９(b)〜図９(e)の５通りの誤接続があり得る。この中でも、図９(b)に示す誤接続は、図５Ｂに点線で示すように、リレーＭＲ１０をオンすると、外部電源３０を含む閉回路が形成されて部品(例えばリレーＭＲ１０)が損傷することになる。なお、図９(c)〜図９(e)の誤接続では、電源を含む閉回路が形成されず、部品の損傷はない。
【００３９】
そこで、この第１実施形態の空気調和機では、室内制御部１２は、待機状態から運転を開始するとき、室内側送受信部１５の受信出力に基づいて、室内機１０と室外機２０を接続する連絡配線Ｌ１〜Ｌ３が誤配線であるか否かを判断して誤配線であると判断したときは、リレーＭＲＭ１０をオンにしない。
【００４０】
図６は上記空気調和機の待機時から運転を開始するときの処理を説明するためのタイミング図を示している。図６において、図６(a)は空気調和機の運転開始信号を表し、図６(b)は室内側送受信部１５の受信出力を表し、図６(c)は誤配線のときのリレーＭＲ１０の動作状態を表し、図６(d)は配線が正しいときのリレーＭＲ１０の動作状態を表している。
【００４１】
図６に示すように、まず、待機中(運転停止中)に室内機１０の図示しないリモコンを操作して、運転を開始すると、室内制御部１２は運転開始信号(図６(a)に示す)を受けた後、所定時間(例えば１秒)経過後に室内側送受信部１５の受信出力を確認する。このとき、図５に示すように連絡配線が誤配線されていると、室内側送受信部１５の受信出力は、図６(b)に示すように、周期的にオンオフを繰り返す。これは、図５Ａに点線で示すように閉回路が形成されて、信号ラインＬ３に交流電圧が印加され、室内側送受信部１５のダイオードＤ１５１が交流電圧の半波(周波数５０Ｈzでは２０ｍｓｅｃ)ごとに発光するためである。
【００４２】
上記室内制御部１２は、室内側送受信部１５の受信出力を数ｍｓｅｃ周期で確認して、２回連続してハイレベルのときは、誤配線であると判断して、図６(c)に示すようにリレーＭＲ１０をオンしない。一方、正常に配線されているときは、通信を行わない限り、室内側送受信部１５の受信出力がオンしないので、室内制御部１２は、誤配線でないと判断して、図６(d)に示すようにリレーＭＲ１０を所定時間(例えば数十ｍｓｅｃ)オンする。
【００４３】
また、上記室内制御部１２が室内側送受信部１５の受信出力に基づいて誤配線であると判断すると、表示部１３により誤配線であることを使用者に報知する。
【００４４】
上記第１実施形態の空気調和機によれば、室内機１０と室外機２０とを接続する連絡配線(Ｌ１〜Ｌ３)が誤配線された状態で運転を開始しても、簡単な構成で部品破損を防止することができる。
【００４５】
また、図５Ａに示す誤配線において信号ラインＬ３に電源電圧が印加され、室内側送受信部１５の受信出力がオンすることにより、リレーＭＲ１０をオンする前に、連絡配線(Ｌ１〜Ｌ３)が誤配線であると容易に判断することが可能になる。
【００４６】
また、上記室内制御部１２が連絡配線(Ｌ１〜Ｌ３)が誤配線であると判断すると、表示部１３により使用者に誤配線を報知するので、据付時に作業者が不具合の原因を知ることができ、迅速な対応を行うことができる。
【００４７】
(第２実施形態)
図７はこの発明の第２実施形態の空気調和機の構成図であり、１０は室内機、２０は上記室内機１０に連絡配線(Ｌ１〜Ｌ３)を介して接続された室外機、３０は上記室内機１０に接続された外部電源である。
【００４８】
上記室内機１０は、一端が電源ラインＬ１に接続され、他端が電源ラインＬ２に接続された電源回路１１と、一端が信号ラインＬ３の一端に接続され、他端が電源ラインＬ２に接続された室内側送受信手段の一例としての室内側送受信部１５と、電源ラインＬ１と信号ラインＬ３との間に接続された常時開状態の室内側開閉手段の一例としてのリレーＭＲ１０とを備えている。上記電源回路１１の両端に外部電源３０から供給される電圧が印加される。また、上記室内機１０は、電源回路１１から電力が供給され、リレーＭＲ１０などを制御する室内制御手段の一例としての室内制御部１２と、上記室内制御部１２により制御される報知手段の一例としての表示部１３とを備えている。
【００４９】
一方、上記室外機２０は、電源ラインＬ１,Ｌ２に入力端子が接続されたＥＭＩフィルタＬＣ１と、信号ラインＬ３の他端に接続された室外側送受信手段の一例としての室外側送受信部２５と、上記室外側送受信部２５に電力を供給する伝送用電源回路２４と、上記ＥＭＩフィルタＬＣ１の出力端子の一端と運転電力供給用開閉手段の一例としてのリレーＭＲＭ１０を介して接続されたスイッチング電源回路２２と、上記スイッチング電源回路２２の一端に一端が接続された負荷の一例としての電源回路２３とを備えている。上記信号ラインＬ３に起動電力供給用開閉手段の一例としての切換リレーＭＲ３０の一端を接続し、切換リレーＭＲ３０の他端を抵抗Ｒ１１の一端に接続している。上記抵抗Ｒ１１の他端を、リレーＭＲＭ１０とスイッチング電源回路２２との間の接続点に接続している。また、上記ＥＭＩフィルタＬＣ１の出力端子の他端にスイッチング電源回路２２の他端と電源回路２３の他端を接続している。また、上記室外機２０は、スイッチング電源回路２２から電力が供給され、リレーＭＲＭ１０などを制御する室外制御手段の一例としての室外制御部２１を備えている。
【００５０】
上記室内側送受信部１５,伝送用電源回路２４,室外側送受信部２５およびＥＭＩフィルタＬＣ１は、第１実施形態の空気調和機と同一の構成をしており、説明を省略する。
【００５１】
図７に示すように、室内機１０のリレーＭＲ１０は、待機状態から運転状態に切り換えるときに、室内マイコン１２によりリレーＭＲ１０が閉じられて、電源ラインＬ１から主電力が信号ラインＬ３に供給される。すなわち、待機状態から運転状態に切り換える旨の信号が、信号ラインＬ３の電圧の上昇である点で、第１実施形態と同様である。
【００５２】
上記構成の空気調和機において、据付時に連絡配線Ｌ１〜Ｌ３の接続は、図７,図９(a)に示すように、端子ＡＣ同士、端子Ｓ同士、端子ＣＯＭ同士を接続するのが正しい。しかしながら、図９(b)〜図９(e)の５通りの誤接続があり得る。この中でも、図９(b)に示す誤接続は、部品が損傷することになる。
【００５３】
そこで、この第２実施形態の空気調和機では、室外制御部２１は、室内機１０のリレーＭＲ１０をオンにすることにより信号ラインＬ３を介して室内機１０側からの起動のための電力が供給されて、待機状態から運転を開始するとき、起動リレーＭＲ３０を開状態にした後、所定時間(例えば数十ｍｓｅｃ)経過後にリレーＭＲＭ１０をオンする。
【００５４】
詳しくは、上記室内機１０のリレーＭＲＭ１０をオンすると、信号ラインＬ３に交流電圧が印加され、室外機２０の切換リレーＭＲ３０と抵抗Ｒ１１を介してスイッチング電源回路２２に電力が供給される。そして、スイッチング電源回路２２から直流電圧が伝送用電源回路２４と室外制御部２１に出力される。それにより、上記スイッチング電源回路２２から直流電圧を受けて動作した室外制御部２１は、起動リレーＭＲ３０を開状態にした後、スイッチング電源回路２２の直流電圧出力がなくなる前、かつ、所定時間(例えば数十ｍｓｅｃ)経過後、リレーＭＲＭ１０をオンする。そうすることによって、電源ラインＬ１,Ｌ２を介して室内機１０側からの運転のための電力がスイッチング電源回路２２と電源回路２３に供給される。
【００５５】
上記第２実施形態の空気調和機によれば、室内機１０と室外機２０とを接続する連絡配線(Ｌ１〜Ｌ３)が誤配線された状態で運転を開始しても、簡単な構成で部品破損を防止することができる。
【００５６】
また、上記リレーＭＲＭ１０をオンしてから、室内側送受信部１５により室外側送受信部２５との通信ができないとき、室内制御部１２は、連絡配線(Ｌ１〜Ｌ３)が誤配線であると判断して、表示部１３により使用者に誤配線を報知するので、据付時に作業者が不具合の原因を知ることができ、迅速な対応を行うことができる。
【００５７】
上記第２実施形態では、室内機１０に外部電源３０を接続したが、室外機に外部電源を接続してもよい。
【００５８】
また、上記第１,第２実施形態では、報知手段として表示部１３を用いたが、報知手段はこれに限らず、音声やブザー音で報知するものであってもよい。
【図面の簡単な説明】
【００５９】
【図１】図１はこの発明の第１実施形態の空気調和機の構成図である。
【図２】図２は上記空気調和機の室内側送受信部の回路図である。
【図３】図３は上記空気調和機の室外側送受信部の回路図である。
【図４】図４は上記空気調和機の室外機のＥＭＩフィルタの回路図である。
【図５Ａ】図５Ａは上記空気調和機の誤配線時の結線図である。
【図５Ｂ】図５Ｂは上記空気調和機の誤配線時にＭＲ１０をオンしたときの状態を示す図である。
【図６】図６は上記空気調和機の待機時から運転を開始するときの処理を示すタイミング図である。
【図７】図７はこの発明の第２実施形態の空気調和機の回路図である。
【図８】図８は上記空気調和機の誤配線時の結線図である。
【図９】図９は空気調和機の正しい配線および誤配線を説明するための結線図である。
【符号の説明】
【００６０】
１０…室内機
１１…電源回路
１２…室内制御部
１５…室内側送受信部
２０…室外機
２１…室外制御部
２２…スイッチング電源回路
２３…電源回路
２４…伝送用電源回路
２５…室外側送受信部
３０…外部電源
ＭＲ１０…リレー
ＭＲ３０…切換リレー
ＭＲＭ１０,ＭＲＭ２０…リレー
Ｌ１,Ｌ２…電源ライン
Ｌ３…信号ライン
ＬＣ１…ＥＭＩフィルタ